(57)【要約】  無線送信装置（１０）は、ＭＢＭＳデータを送信するＭＢＭＳデータ送信部（１４）と、アクセスクラス制御情報（access  Barring  Information）を含むＭＢＭＳ制御情報を生成するＭＢＭＳ制御情報生成部（１３）および送信部（１９）とを具備する。無線受信装置は、ＭＢＭＳデータを受信するデータ受信部と、アクセスクラス制御情報を含むＭＢＭＳ制御情報を受信する制御情報受信部と、ＭＢＭＳ制御情報に基づいてアクセスクラス制御を行うアクセスクラス制御部と、アクセスクラス制御の結果に基づいてＲＡＣＨプリアンブルを送信するＲＡＣＨプリアンブル送信部とを具備する。これにより、ＭＢＭＳを提供するセルにおいて、ＭＢＭＳを受けていない無線通信装置のコネクション確立の容易性を保ち、ユーザ満足度を損なわない無線送信装置、無線受信装置を提供する。
2010018658.tif 000002
【特許請求の範囲】
【請求項１】
ＭＢＭＳデータを送信するデータ送信部と、
アクセスクラス制御情報（access  Barring  Information）を含むＭＢＭＳ制御情報を送信する制御情報送信部と、
を具備する無線送信装置。
【請求項２】
前記アクセスクラス制御情報は、ＭＢＭＳサービスごとに異なるアクセスクラス制御を行うことが可能な情報である請求項１に記載の無線送信装置。
【請求項３】
前記アクセスクラス制御情報は、ＭＢＭＳサービスごとの優先度を含むことが可能な情報である請求項１または２に記載の無線送信装置。
【請求項４】
ＭＢＭＳデータを受信するデータ受信部と、
アクセスクラス制御情報を含むＭＢＭＳ制御情報を受信する制御情報受信部と、
前記ＭＢＭＳ制御情報に基づいてアクセスクラス制御を行うアクセスクラス制御部と、
前記アクセスクラス制御の結果に基づいてランダムアクセスプリアンブルを送信するランダムアクセスプリアンブル送信部と、
を具備する無線受信装置。
【請求項５】
前記ＭＢＭＳデータ受信部は、第１の周波数でデータを受信し、
前記ランダムアクセスプリアンブル送信部は、前記アクセスクラス制御の結果、ランダムアクセスプリアンブルを送信可能な場合に前記第１の周波数でランダムアクセスプリアンブルを送信し、ランダムアクセスプリアンブルが送信可能でない場合に第２の周波数でランダムアクセスプリアンブルを送信する請求項４に記載の無線受信装置。
【請求項６】
前記制御情報受信部は、前記第１の周波数でランダムアクセスプリアンブルを送信できない場合に優先的に用いる優先周波数の情報をＲＲＣプロトコルによってさらに受信し、
前記ランダムアクセスプリアンブル送信部は、
前記アクセスクラス制御の結果、ランダムアクセスプリアンブルが送信可能でない場合に、前記第２の周波数として前記優先周波数を用いてランダムアクセスプリアンブルを送信する請求項５に記載の無線受信装置。
【請求項７】
ＭＢＭＳサービスとユニキャストサービスの優先度を判定する優先度判定部をさらに具備し、
前記アクセスクラス制御の結果、前記第１の周波数でランダムアクセスプリアンブルが送信可能でない場合に、前記優先度判定部にて、現在受信中のＭＢＭＳサービスとユニキャストサービスとの優先度を判定し、ユニキャストサービスの優先度がＭＢＭＳサービスの優先度よりも高いと判定された場合に、第２の周波数でランダムアクセスプリアンブルを送信する請求項５に記載の無線受信装置。
【請求項８】
請求項１から請求項３のいずれかに記載の無線送信装置を具備する基地局装置。
【請求項９】
請求項４から請求項７のいずれかに記載の無線受信装置を具備する端末装置。
【請求項１０】
請求項８に記載の基地局装置と請求項９に記載の端末装置からなる無線通信システム。
【請求項１１】
ＭＢＭＳデータを送信するデータ送信ステップと、
アクセスクラス制御情報（access  Barring  Information）を含むＭＢＭＳ制御情報を送信する制御情報送信ステップと、
を具備する無線送信方法。
【請求項１２】
ＭＢＭＳデータを受信するデータ受信ステップと、
アクセスクラス制御情報を含むＭＢＭＳ制御情報を受信する制御情報受信ステップと、
前記ＭＢＭＳ制御情報に基づいてアクセスクラス制御を行うアクセスクラス制御ステップと、
前記アクセスクラス制御の結果に基づいてランダムアクセスプリアンブルを送信するランダムアクセスプリアンブル送信ステップと、
を具備する無線受信方法。
【発明の詳細な説明】
【関連する出願】
【０００１】
本出願では、２００８年８月１２日に日本国に出願された特許出願番号２００８−２０７７６０の利益を主張し、当該出願の内容は引用することによりここに組み込まれているものとする。
【技術分野】
【０００２】
本発明は、無線通信の技術分野に関し、特にマルチメディア・ブロードキャスト／マルチキャストサービス（Multimedia  Broadcast/Multicast  Service：以下「ＭＢＭＳ」という）を行う無線送信装置及びこれを受ける無線受信装置に関する。
【背景技術】
【０００３】
無線通信装置がアイドル状態から発呼手順に移るとき、無線通信装置と基地局装置との間に個別チャネルを設定するために、何らかの手順でネットワークに信号を送る必要がある。ここで無線通信装置からネットワークに信号を送るために使われるのが、上り共通物理チャネルのランダムアクセスチャネル（Random  Access  Channel：以下「ＲＡＣＨ」という）である。【０００４】
無線通信装置は、下りの共通パイロットチャネル（Common  Pilot  Channel、以下「ＣＰＩＣＨ」という）の受信レベル測定と、ＲＡＣＨの試行の検出及び到来タイミング推定を行うためのプリアンブルによって、送信電力を決定する。複数の無線通信装置が同時に同じスロットを使っても衝突しないように、プリアンブルにはシグネチャと呼ばれる系列を使う。シグネチャが異なるプリアンブルは、同時に受信しても区別して検出できる。従って、衝突が起こるのはアクセススロットとシグネチャの両方が一致した時のみであり、一般に複数の無線通信装置から送信されるプリアンブルが衝突する可能性は低い。しかし、稀に、セル内の複数の無線通信装置から送信されるプリアンブルが衝突することもある。【０００５】
図１４は、プリアンブルの衝突の可能性を低減するアクセスクラス制御の動作を示す図である。基地局１００は、報知情報（system  information）の一つであるアクセス禁止情報（access  Barring  Information）を、トランスポートチャネルの下り共有チャネル（Downlink  Shared  Channel、以後「ＤＬ−ＳＣＨ」という）を介して送信する（Ｓ２００）。アクセス禁止情報には、アクセスクラス制御に用いるアクセスの可否を決定する閾値（「access  probability  factor」以下、「アクセス確率係数」という）や、禁止タイマの計算に用いるデフォルト値が含まれる。【０００６】
アクセス禁止情報を受信した端末１０２は、基地局１００への接続を行うか否かを判定する（Ｓ２０２）。接続を行う場合には（Ｓ２０２でＹＥＳ）、ランダムアクセスプリアンブル（以下、「ＲＡＣＨプリアンブル」ともいう）を送信する前にアクセスクラス制御を行う。具体的には、端末１０２は、端末個別に発生させたランダムな値とアクセス禁止情報で通知されたアクセス確率係数とを比較する（Ｓ２０４）。ランダム値がアクセス確率係数を下回っていた場合（Ｓ２０４でＹＥＳ）、端末１０２は、ＲＡＣＨプリアンブルを送信する（Ｓ２０６）。ランダムな値がアクセス確率係数以上の場合（Ｓ２０４でＮＯ）、端末１０２は禁止タイマ（barring  timer）の値を計算し（Ｓ２０８）、禁止タイマを開始し（Ｓ２１０）、禁止タイマの値が切れるまで待機する。禁止タイマがタイムアウトしたら（Ｓ２１２）、端末１０２は、ランダムな値とアクセス確率係数とを比較するステップＳ２０４に移行する。禁止タイマの値は、報知情報で送信されるデフォルトの値に、端末１０２にて発生させた禁止タイマ用のランダムな値を掛け合わせて算出する。これによって、複数の端末１０２の間においてＲＡＣＨプリアンブル送信開始時刻が分散するため、ＲＡＣＨプリアンブルの衝突の可能性を低減できる。なお、アクセスクラス制御については、特許文献１および非特許文献１，２に記載されている。
【先行技術文献】
【特許文献】
【０００７】
【特許文献１】特表２００６−５０５９７９号公報
【非特許文献】
【０００８】
【非特許文献１】3GPP  TS36.331  v8.2.0  “Evolved  Universal  Terrestrial  Radio  Access  (E-UTRA)  Radio  Resource  Control  (ＲＲＣ)”
【非特許文献２】3GPP  TSG  RAN  WG2  meeting  #61bis  R2-081737,  “Access  Class  barring  enhancements  to  support  PPAC”,  NTT  DoCoMo,  Inc.
【発明の概要】
【発明が解決しようとする課題】
【０００９】
移動体通信の分野においては、近年、放送サービス又はマルチキャストサービスであるＭＢＭＳに関する技術的な検討が行われている。ＭＢＭＳは、１対１の通信ではなく、１対多の通信であり、１つの基地局装置が複数の端末装置に対して同時に同一データ（例えば、音楽データやビデオ画像データ等）を送信する。【００１０】
ユニキャスト通信では、基地局装置が、個別チャネルを使用してストリーミングサービス等の情報を送信すると、その情報を受信したい端末装置が増えた場合に、無線回線にかかる負荷が大きくなってしまう。しかし、ＭＢＭＳでは、端末装置が増えた場合でもそれらの端末装置全てが同じチャネルを使用して情報を受信するので、無線回線にかかる負荷を増大させることなく情報を受信できる端末装置を増加させることができるという利点がある。現在、ＭＢＭＳを用いたサービスとしては、交通情報の配信、音楽配信、ニュース配信、スポーツ中継の配信等が考えられている。【００１１】
ところで、ＭＢＭＳを用いたサービスを行うと、ＭＢＭＳサービスを提供しているセルに多数の端末が集まることが予想される。特定のセルに多数の端末が集中すると、それらの端末から送信されるＲＡＣＨプリアンブルの量も増加する。これにより、アクセスクラス制御によってＲＡＣＨプリアンブルの送信が許可されず、ＭＢＭＳのサービスを受けていない端末まで基地局とのコネクションを張れない状態が続いてしまうという問題がある。また、この問題は、セル単位だけでなく、一つの基地局が提供する異なる周波数帯域の間でも発生する可能性がある。【００１２】
図１５は、ＭＢＭＳサービスを提供する基地局の周波数配置の例を示す図である。図１５では、１つの基地局が３つの異なる周波数帯（f_x,  f_y,  f_mbms）を管理している。２つの周波数帯（f_x,  f_y）はユニキャストサービスのみを提供していて、残りの１つの周波数帯（f_mbms）はユニキャストサービスとＭＢＭＳサービスの両方を提供している。この時、ＭＢＭＳサービスを受けたい端末が集中すると、周波数（f_x,  f_y）が比較的空いている一方で、ＭＢＭＳサービスを提供している周波数f_mbmsが混雑するという場合が想定できる。【００１３】
本発明はかかる点に鑑みてなされたものであり、ＭＢＭＳを提供するセルにおいて、ＭＢＭＳを受けていない無線通信装置のコネクション確立の容易性を保ち、ユーザ満足度を損なわない無線送信装置、無線受信装置を提供することを目的とする。
【課題を解決するための手段】
【００１４】
本発明の無線送信装置は、ＭＢＭＳデータを送信するデータ送信部と、アクセスクラス制御情報（access  Barring  Information）を含むＭＢＭＳ制御情報を送信する制御情報送信部とを具備する。【００１５】
本発明の無線受信装置は、ＭＢＭＳデータを受信するデータ受信部と、アクセスクラス制御情報を含むＭＢＭＳ制御情報を受信する制御情報受信部と、前記ＭＢＭＳ制御情報に基づいてアクセスクラス制御を行うアクセスクラス制御部と、前記アクセスクラス制御の結果に基づいてランダムアクセスプリアンブルを送信するランダムアクセスプリアンブル送信部とを具備する。
【発明の効果】
【００１６】
この構成により、アクセスクラス制御情報は、ＭＢＭＳサービスを受ける端末にのみ送信され、ＭＢＭＳサービスを受けていない端末には送信されないので、ＭＳＭＳサービスを受けている端末のみがアクセスクラス制御の対象となる。ＭＢＭＳサービスを受けている端末は、ＭＢＭＳ制御情報に含まれるアクセスクラス制御情報に基づいてアクセスクラス制御を行うので、ＭＢＭＳサービスを受けている端末のコネクション確立が制限され、ＭＢＭＳサービスを受けていない端末のコネクション確立の容易性を保つことができる。【００１７】
以下に説明するように、本発明には他の態様が存在する。したがって、この発明の開示は、本発明の一部の提供を意図しており、ここで記述され請求される発明の範囲を制限することは意図していない。
【図面の簡単な説明】
【００１８】
【図１】図１は、第１の実施の形態の基地局の構成を示す図
【図２】図２は、第１の実施の形態の端末の構成を示す図
【図３】図３は、第１の実施の形態が適用されるネットワークを示す図
【図４】図４は、第１の実施の形態のシグナリング動作を示す図
【図５】図５は、アクセス禁止情報の例を示す図
【図６】図６は、第１の実施の形態の基地局の動作を示す図
【図７】図７は、第１の実施の形態の端末の動作を示す図
【図８】図８は、第２の実施の形態の端末の構成を示す図
【図９】図９は、第２の実施の形態のシグナリング動作を示す図
【図１０】図１０は、第２の実施の形態の端末の動作を示す図
【図１１】図１１は、第３の実施の形態の端末の構成を示す図
【図１２】図１２は、第３の実施の形態のシグナリング動作を示す図
【図１３】図１３は、第３の実施の形態の端末の動作を示す図
【図１４】図１４は、従来のアクセスクラス制御の動作を示す図
【図１５】図１５は、ＭＢＭＳサービスを提供する基地局の周波数配置の例を示す図
【発明を実施するための形態】
【００１９】
以下に、本発明の詳細な説明を述べる。以下に説明する実施の形態は本発明の単なる例であり、本発明は様々な態様に変形することができる。従って、以下に開示する特定の構成および機能は、請求の範囲を限定するものではない。
【００２０】
本実施の形態の無線送信装置は、ＭＢＭＳデータを送信するデータ送信部と、アクセスクラス制御情報（access  Barring  Information）を含むＭＢＭＳ制御情報を送信する制御情報送信部とを具備する。
【００２１】
この構成により、アクセスクラス制御情報は、ＭＢＭＳサービスを受ける端末にのみ送信され、ＭＢＭＳサービスを受けていない端末には送信されないので、ＭＳＭＳサービスを受けている端末のみがアクセスクラス制御の対象となる。ＭＢＭＳサービスを受けている端末のアクセスクラス制御を行うことにより、ＭＢＭＳサービスを受けていない端末によるコネクション確立の容易性を保つことができる。
【００２２】
本実施の形態の無線送信装置は、前記アクセスクラス制御情報として、異なるＭＢＭＳサービスごとにアクセスクラス制御を行うことが可能な情報を用いる構成を有する。
【００２３】
この構成により、端末が受信中のＭＢＭＳサービスの種類によってコネクション確立の容易さを制御できる。例えば、人気のないＭＢＭＳサービスを受けている端末は、人気のあるＭＢＭＳサービスを受けている端末より、コネクション確立を容易にするような制御を行える。
【００２４】
本実施の形態の無線送信装置は、前記アクセスクラス制御情報として、ＭＢＭＳサービスごとの優先度を含むことが可能な情報を用いる構成を有する。
【００２５】
この構成により、端末は、それぞれのＭＢＭＳサービスの優先度に基づいて、ＭＢＭＳサービスを継続するか、別のコネクションを確立するかを判断することが可能となる。
【００２６】
本実施の形態の無線受信装置は、ＭＢＭＳデータを受信するデータ受信部と、アクセスクラス制御情報を含むＭＢＭＳ制御情報を受信する制御情報受信部と、前記ＭＢＭＳ制御情報に基づいてアクセスクラス制御を行うアクセスクラス制御部と、前記アクセスクラス制御の結果に基づいてランダムアクセスプリアンブルを送信するランダムアクセスプリアンブル送信部とを具備する。
【００２７】
この構成により、ＭＢＭＳサービスを受けている端末は、ＭＢＭＳ制御情報に含まれるアクセスクラス制御情報に基づいてアクセスクラス制御を行うので、ＭＢＭＳサービスを受けている端末のコネクション確立が制限され、ＭＢＭＳサービスを受けていない端末のコネクション確立の容易性を保つことができる。
【００２８】
本実施の形態の無線受信装置において、前記ＭＢＭＳデータ受信部は、第１の周波数でデータを受信し、前記ランダムアクセスプリアンブル送信部は、前記アクセスクラス制御の結果、ランダムアクセスプリアンブルを送信可能な場合に前記第１の周波数でランダムアクセスプリアンブルを送信し、ランダムアクセスプリアンブルが送信可能でない場合に第２の周波数でランダムアクセスプリアンブルを送信する構成を有する。
【００２９】
この構成により、ＭＢＭＳサービスを提供している第１の周波数とは異なる第２の周波数にてランダムアクセスプリアンブルを送信することにより、ランダムアクセスプリアンブルの送信に用いる周波数を第１の周波数と第２の周波数とに分散し、ランダムアクセスプリアンブルの衝突の可能性を低減できる。
【００３０】
本実施の形態の無線受信装置において、前記制御情報受信部は、前記第１の周波数でランダムアクセスプリアンブルを送信できない場合に優先的に用いる優先周波数の情報をＲＲＣプロトコルによってさらに受信し、前記ランダムアクセスプリアンブル送信部は、アクセスクラス制御の結果、ランダムアクセスプリアンブルが送信可能でない場合に、前記第２の周波数として前記優先周波数を用いてランダムアクセスプリアンブルを送信する構成を有する。
【００３１】
この構成により、基地局は、端末に対して優先周波数を設定し、ランダムアクセスプリアンブルの送信周波数を制御することができる。
【００３２】
本実施の形態の無線受信装置は、ＭＢＭＳサービスとユニキャストサービスの優先度を判定する優先度判定部をさらに具備し、アクセスクラス制御の結果、前記第１の周波数でランダムアクセスプリアンブルが送信可能でない場合に、前記優先度判定部にて、現在受信中のＭＢＭＳサービスとユニキャストサービスとの優先度を判定し、ユニキャストサービスの優先度がＭＢＭＳサービスの優先度よりも高いと判定された場合に、第２の周波数でランダムアクセスプリアンブルを送信する構成を有する。
【００３３】
この構成により、ユニキャストサービスを優先する場合には、第２の周波数に切り替えて速やかにランダムアクセスプリアンブルを送信できると共に、ＭＢＭＳサービスを優先する場合には、コネクション確立までの時間を犠牲にして第１の周波数で継続してＭＢＭＳサービスを受けることができる。
【００３４】
本実施の形態の基地局装置は、上記した無線送信装置の構成を有し、本実施の形態の端末装置は、上記した無線受信装置の構成を有する。本実施の形態の無線通信システムは、上記した基地局装置と端末装置とを具備する。
【００３５】
この構成により、基地局装置がＭＢＭＳサービスを提供すると共に、ＭＢＭＳサービスに伴って生じ得るコネクション確立までに時間がかかるという問題を解決できる。
【００３６】
本実施の形態の無線送信方法は、ＭＢＭＳデータを送信するデータ送信ステップと、アクセスクラス制御情報（access  Barring  Information）を含むＭＢＭＳ制御情報を送信する制御情報送信ステップとを具備する。
【００３７】
この構成により、上記した本実施の形態の無線送信装置と同様に、ＭＢＭＳサービスを受けている端末のアクセスクラス制御を行うことにより、ＭＢＭＳサービスを受けていない端末のコネクション確立の容易性を保つことができる。
【００３８】
本実施の形態の無線受信方法は、ＭＢＭＳデータを受信するデータ受信ステップと、アクセスクラス制御情報を含むＭＢＭＳ制御情報を受信する制御情報受信ステップと、前記ＭＢＭＳ制御情報に基づいてアクセスクラス制御を行うアクセスクラス制御ステップと、前記アクセスクラス制御の結果に基づいてランダムアクセスプリアンブルを送信するランダムアクセスプリアンブル送信ステップとを具備する。
【００３９】
この構成により、上記した本実施の形態の無線受信装置と同様に、ＭＢＭＳサービスを受けている端末は、ＭＢＭＳ制御情報に含まれるアクセスクラス制御情報に基づいてアクセスクラス制御を行うので、ＭＢＭＳサービスを受けている端末のランダムアクセスプリアンブルの送信を制限し、ＭＢＭＳサービスを受けていない端末のコネクション確立の容易性を保つことができる。
【００４０】
以下、本発明の実施の形態の無線送信装置および無線受信装置について、図面を参照して詳細に説明する。以下では、基地局装置（以下、「基地局」という）と端末装置（以下、「端末」という）とからなる無線通信システムを例として説明する。以下の例では、基地局が無線送信装置に相当し、端末が無線受信装置に相当する。なお、以下の実施の形態において、同一機能を有する構成には、同一符号を付し、重複する説明は省略する。
【００４１】
なお、以下の各実施の形態では、３ＧＰＰで規格化されている移動通信技術であるLong  Term  Evolution  (LTE)  、System  Architecture  Evolution  (SAE)、MBMSに基づいて説明する。しかし、本発明は、３ＧＰＰで規定されている上記の規格に限らず、無線ＬＡＮ（Wireless  Local  Area  Network）、ＩＥＥＥ８０２．１６、ＩＥＥＥ８０２．１６ｅまたはＩＥＥＥ８０２．１６ｍ等のＷｉＭＡＸ（Worldwide  Interoperability  for  Microwave  Access）、３ＧＰＰ２、あるいは第四世代移動通信技術等の無線アクセス技術に適用することができる。
【００４２】
（第１の実施の形態）
図１は第１の実施の形態に係る基地局１０の構成を示す図、図２は、第１の実施の形態に係る端末３０の構成を示す図である。図１および図２を参照して第１の実施の形態の基地局１０および端末３０について詳細に説明する前に、第１の実施の形態の基地局１０および端末３０が適用されるネットワークの構成について説明する。
【００４３】
図３は、本発明の第１の実施の形態に係るネットワークの構成を示す図である。図３に示すネットワークは、端末（User  Equipment，ＵＥ）３０、基地局（Evolved  Node  B，ｅＮＢ）１０、ＭＢＭＳ制御装置（ＭＢＭＳControl  Entity，ＭＣＥ)５０、及びコアネットワーク（Evolved  Packet  Core，ＥＰＣ）５１から構成される。
【００４４】
基地局１０は、無線資源の割り当て及び管理を行い、端末３０のための無線アクセスネットワークのアクセスポイントの役割を有する。基地局１０は、アップリンクを介して端末３０から転送される情報を受信し、ダウンリンクを介して端末３０にデータを転送する。
【００４５】
ＭＣＥ５０は、複数の基地局１０を管理し、ＭＢＭＳサービスに対する物理リソースブロックの割り当てを行う。ＥＰＣ５１は、移動通信ネットワークの基幹部分であり、ＭＢＭＳコンテンツの配信や、ＭＢＭＳデータ及びセッションの制御等を行う。
【００４６】
次に、図１を参照して基地局１０の構成について説明する。基地局１０は、端末３０に対してデータを送信するための構成として、ＭＢＭＳ関連情報記憶部１１と、ランダムアクセス関連情報記憶部１２と、ＭＢＭＳ制御情報生成部１３と、ＭＢＭＳデータ送信部１４と、報知情報送信部１５と、ユニキャストデータ処理部１６とを有している。基地局１０は、端末３０から受信したデータを処理する構成として、ＲＡＣＨ処理部１７と、データ処理部１８とを有している。
【００４７】
ＭＢＭＳ関連情報記憶部１１は、ＭＢＭＳサービスに関連する制御情報及びデータを記憶している。ランダムアクセス関連情報記憶部１２は、アクセス禁止情報などのランダムアクセス関連情報を記憶している。
【００４８】
ＭＢＭＳ制御情報生成部１３は、ランダムアクセス関連情報記憶部１２からアクセス禁止情報を読み出し、ＭＢＭＳ関連情報記憶部１１からＭＢＭＳサービスに関連する制御情報を読み出す。ＭＢＭＳ制御情報生成部１３は、読み出した情報に基づいて、サービス通知情報やスケジューリング情報などのＭＢＭＳ制御情報を生成し、送信部１９に出力する。ＭＢＭＳデータ送信部１４は、ＭＢＭＳ関連情報記憶部１１から読み出したＭＢＭＳデータを処理し、送信部１９に出力する。
【００４９】
ユニキャストデータ処理部１６は、ユニキャストデータを送信部１９に出力する。報知情報送信部１５は、報知情報を送信部１９に出力する。
【００５０】
送信部１９は、ＭＢＭＳ制御情報生成部１３、ユニキャストデータ処理部１６、ＭＢＭＳデータ送信部１４、報知情報送信部１５から入力された情報をアンテナ２１から送信する。
【００５１】
ＲＡＣＨ処理部１７は、受信部２０から入力されたＲＡＣＨプリアンブルを処理する。データ処理部１８は、受信部２０から入力されたデータを処理する。
【００５２】
受信部２０は、端末３０から送信されたＲＡＣＨプリアンブルや端末３０及びコアネットワークから送信されたデータを受信し、それぞれＲＡＣＨ処理部１７、データ処理部１８に出力する。
【００５３】
次に、図２を参照して端末３０の構成について説明する。端末３０は、基地局１０から送信されたデータをアンテナ３１によって受信する受信部３２と、基地局１０にデータを送信する送信部３３とを備えている。受信部３２は、基地局１０から送信される報知情報、ＭＢＭＳ制御情報、ＭＢＭＳデータ、ユニキャストデータを受信する。受信部３２は、受信した報知情報及びＭＢＭＳ制御情報を制御部３５に入力し、ＭＢＭＳデータ及びユニキャストデータをデータ再生部３４へ入力する。
【００５４】
データ再生部３４は、受信部３２から入力されたＭＢＭＳデータ及びユニキャストデータを再生する。制御部３５は、受信部３２から入力されたＭＢＭＳ制御情報からランダムアクセス制御関連情報及び報知情報を抽出し、記憶部３６に出力する。また、制御部３５は、ランダムアクセス制御関連情報の中に、アクセス禁止情報が含まれていた場合に、アクセスクラス制御部３７にアクセスクラス制御を指示する。
【００５５】
アクセスクラス制御部３７は、ＲＡＣＨプリアンブル送信のアクセス制御を行う。具体的には、アクセスクラス制御部３７は、アクセス制御部３５からの指示に従ってランダムな値を発生させ、その値とアクセス確率係数を比較する。比較の結果、ランダムな値がアクセス確率係数以上の場合、タイマ制御部３８に、禁止タイマの実行を指示する。比較の結果、ランダムな値がアクセス確率係数を下回っている場合、ＲＡＣＨプリアンブル生成部３９に、ＲＡＣＨプリアンブルの生成を指示する。
【００５６】
タイマ制御部３８は、アクセスクラス制御部３７の指示に従って、禁止タイマの計算及び実行を行い、禁止タイマがタイムアウトするまでは、ＲＡＣＨプリアンブルの送信を禁止する。
【００５７】
ＲＡＣＨプリアンブル生成部３９は、アクセスクラス制御部３７の指示に従って、ＲＡＣＨプリアンブルを生成し、送信部３３に出力する。データ送信部４０は、基地局１０に対して送信するデータを送信部３０に出力する。
【００５８】
送信部３３は、ＲＡＣＨプリアンブル生成部３９から入力されたＲＡＣＨプリアンブル及びデータ送信部４０から入力されたデータを基地局１０に送信する。
【００５９】
図４は、本発明の第１の実施の形態に係る基地局１０と端末３０とのシグナリングの動作を示す図である。端末３０は、基地局１０から、報知情報をトランスポートチャネルの下り共有チャネル（ＤＬ−ＳＣＨ）を介して受信する（Ｓ１０）。このとき、報知情報ではアクセス禁止情報は送られていないものとする。
【００６０】
端末３０は、基地局１０から、セル内で利用可能なＭＢＭＳサービスのリストを、論理チャネルのＭＢＭＳ制御チャネル（ＭＢＭＳ  Control  Channel、以後「ＭＣＣＨ」という）を介して受信する（Ｓ１２）。ＭＣＣＨは、トランスポートチャネルのＤＬ−ＳＣＨもしくはMulticast  Channel  (以後「ＭＣＨ」とする)にマッピングされている。
【００６１】
ここで、基地局１０が端末３０に対するアクセスクラス制御の実施を決定した場合に、セル内で利用可能なＭＢＭＳサービスのリストと同時に、アクセス禁止情報がＭＣＣＨで送られる（Ｓ１２）。アクセス禁止情報は、アクセスクラス制御を実施するか否かを示すアクセスタイマフラグと、アクセスクラス制御に用いるアクセス確率係数、デフォルト値のデータを有する。禁止タイマフラグがオンの場合に、ＭＢＭＳサービスを受ける端末はＲＡＣＨプリアンブルの送信に先立ってアクセスクラス制御を行い、オフの場合にはアクセスクラス制御を行わない。アクセス確率係数、デフォルト値は、基本的に全ＭＢＭＳサービスに対して共通に設定する。なお、ＭＢＭＳサービスごとに、アクセス確率係数、デフォルト値を設定することも可能である。
【００６２】
図５は、アクセス禁止情報の別の例を示す図である。この例では、アクセス禁止情報は、ＭＢＭＳサービスに、禁止タイマフラグが関連付けられて構成されている。禁止タイマフラグがオンの場合には、アクセスクラス制御を実施するためのデータとしてアクセス確率係数、デフォルト値がさらに関連付けられている。これにより、ＭＢＭＳサービスごとに異なるアクセスクラス制御を行うことが可能となる。
【００６３】
再び、図４を参照してシグナリングについて説明する。端末３０は、受信したいＭＢＭＳサービス（ここでは、ＭＢＭＳサービス#1とする）がリストに含まれていた場合に、アイドル状態から基地局１０とコネクションを設立してアクティブ状態となり（Ｓ１４）、ＭＢＭＳサービス#1に対するサービスリクエストを基地局１０に送信する（Ｓ１６）。
【００６４】
基地局１０は、端末３０からのサービスリクエストを受信すると、該当するサービスを受信するための無線ベアラを設定する（Ｓ１８）。端末３０は、基地局１０によって設定された無線ベアラを介してＭＢＭＳサービス#1を受信する（Ｓ２０）。その後、基地局１０は、端末３０に対してＲＲＣコネクション解放メッセージを送信し（Ｓ２２）、端末３０はこのメッセージを受けると再びアイドル状態に戻る（Ｓ２４）。これにより、端末３０は、ＭＢＭＳサービス#1を受信しているのみの状態となる。すなわち、端末３０は、アイドル状態でＭＢＭＳサービスを受ける。なお、受信したいＭＢＭＳサービス（ＭＢＭＳサービス#1）が既に基地局１０から送信されている場合には、Ｓ１４、Ｓ１６，Ｓ１８のステップは省略される。
【００６５】
次に、ＭＢＭＳサービス#1を受信している端末３０が（Ｓ２６）、基地局１０とコネクションを張りアクティブ状態に移行しようとしているか否かを判定する（Ｓ２８）。例えば、端末３０にて電話をかけたりメールを送信したりする操作が行われた場合には、基地局１０への接続によりアクティブ状態に移行しようとしていると判定する。図４に示す例では、基地局１０と接続しようとしている場合（Ｓ２８でＹＥＳ）、端末３０は、アクセスクラス制御を実行する。端末３０は、端末個別に発生させたランダムな値とアクセス確率係数とを比較し、ランダム値がアクセス確率係数を下回るか否かを判定する（Ｓ３０）。ランダムな値がアクセス確率係数を下回っていた場合（Ｓ３０でＹＥＳ）、端末３０はＲＡＣＨプリアンブルを送信する（Ｓ３２）。
【００６６】
ランダム値がアクセス確率係数以上の場合（Ｓ３０でＮＯ）、端末３０は禁止タイマの値を計算し（Ｓ３４）、禁止タイマを開始する（Ｓ３６）。端末３０は、禁止タイマの値がタイムアウトするまで待機する。端末３０は、禁止タイマがタイムアウトすると、再度、ランダム値とアクセス確率係数とを比較するステップＳ３０を行う。
【００６７】
図６は、上記した基地局１０と基地局３０のシグナリングを実現する基地局１０の動作を示す図である。基地局１０は、端末３０に対して報知情報を送信する（Ｓ４０）。また、基地局１０は、アクセス禁止情報を含んだＭＢＭＳ制御情報を作成し（Ｓ４２）、作成したＭＢＭＳ制御情報を端末３０に送信する（Ｓ４４）。
【００６８】
その後、基地局１０は、端末３０からＭＢＭＳサービスに対するサービスリクエストがあるか否かを判定する（Ｓ４６）。端末３０からＭＢＭＳサービスに対するサービスリクエストがあった場合に、その端末３０に対してＭＢＭＳサービス受信用の無線ベアラをセットアップし（Ｓ４８）、ＭＢＭＳデータを送信する（Ｓ５０）。
【００６９】
図７は、上記した基地局１０と基地局３０のシグナリングを実現する端末３０の動作を示す図である。端末３０は、ＭＢＭＳ制御情報を受信すると（Ｓ６０）、アクセス禁止情報が含まれているかどうかを判定する（Ｓ６２）。アクセスクラス禁止情報が含まれていない場合（Ｓ６２でＮＯ）、端末３０は、基地局１０との接続を確立しようとするときに、ＲＡＣＨプリアンブルを送信する（Ｓ６４）。
【００７０】
アクセスクラス禁止情報が含まれている場合（Ｓ６２でＹＥＳ）、端末３０は、ＲＡＣＨプリアンブル送信の前に、アクセスクラス制御を実施する。まず、端末３０は、端末３０が生成したランダムな値と、ＭＢＭＳ情報で通知されているアクセス確率係数とを比較し、ランダム値がアクセス確率係数を下回るか否かを判定する（Ｓ６６）。この結果、ランダムな値がアクセス確率係数より小さい場合は（Ｓ６６でＹＥＳ）、ＲＡＣＨプリアンブルを送信する（Ｓ６８）。
【００７１】
ランダム値がアクセス確率係数以上の場合（Ｓ６６でＮＯ）は、端末３０は、禁止タイマを計算する（Ｓ７０）。禁止タイマの値は、ＭＢＭＳ制御情報の中に含まれるアクセスクラス禁止情報に示される禁止タイマのデフォルト値に、端末個別に発生させたランダムな値を乗じて算出する。端末３０は、算出した禁止タイマを開始し（Ｓ７２）、禁止タイマ実行中はＲＡＣＨプリアンブルの送信を禁止する。禁止タイマがタイムアウトしたら（Ｓ７４）、再び、端末３０は端末個別に発生させたランダム値とアクセス確率係数との比較を行う（Ｓ６６）。以上、第１の実施の形態の基地局１０および端末３０の構成および動作について説明した。
【００７２】
第１の実施の形態の基地局１０は、ＭＢＭＳ制御情報によってアクセスクラス制御を実施するか否かを指示するので、ＭＢＭＳサービスを受信する端末３０だけがＲＡＣＨプリアンブル送信時にアクセスクラス制御を行う。これにより、ＭＢＭＳサービスを受信していない端末３０に影響を与えることなく、ＲＡＣＨプリアンブルの衝突を削減することができる。
【００７３】
また、アクセス禁止情報をＭＢＭＳ制御情報に含めて送信するので、簡単な構成により、ＭＢＭＳサービスを受けている端末にだけ、アクセス禁止情報を通知することができる。
【００７４】
なお、本実施の形態では、アクセス禁止情報がＭＢＭＳサービスごとにアクセス制御を行うかを示す禁止タイマフラグを含む例について説明したが、禁止タイマフラグを含まないＭＢＭＳ制御情報を用いることも可能である。アクセス禁止情報に禁止タイマフラグが含まれていない場合、リストに示されたどのＭＢＭＳサービスを受信する端末３０も、アクセスクラス制御を行うものとする。
【００７５】
（第２の実施の形態）
次に、本発明の第２の実施の形態について説明する。第２の実施の形態の基地局１０の構成は、第１の実施の形態の基地局１０の構成と同じである。
【００７６】
図８は、第２の実施の形態に係る端末３０ａの構成を示す図である。第２の実施の形態の端末３０ａの基本的な構成は、第１の実施の形態の端末３０の構成と同じであるが、第２の実施の形態の端末３０ａは、ＲＡＣＨプリアンブルの送信周波数を変更する周波数変更部４１を備えている。
【００７７】
アクセスクラス制御部３７は、制御部３５からの指示に従って、ランダムな値を発生させ、その値とアクセス確率係数を比較する。比較の結果、ランダムな値がアクセス確率係数を下回った場合、ＲＡＣＨプリアンブル生成部３９に、ＲＡＣＨプリアンブルの生成を指示する。ランダム値がアクセス確率係数以上の場合、周波数変更部４１に周波数の変更を指示する。
【００７８】
周波数変更部４１は、記憶部３６から出力された優先周波数情報があれば、その周波数に移動する。優先周波数情報がなければ、記憶部３６から出力された報知情報に含まれる、端末３０ａが優先的に選択する周波数情報をもとに、周波数再選択を行う
【００７９】
図９は、第２の実施の形態の端末３０ａと基地局１０のシグナリングを示す図である。図９において、基地局１０は複数の周波数（f_x、f_mbms）を管理しているものとし、アイドル状態において、端末３０ａは周波数f_xにキャンプオンして報知情報とページングを受けているものとする（Ｓ８０）。
【００８０】
端末３０ａは、周波数f_xで報知情報をトランスポートチャネルの下り共有チャネル（ＤＬ−ＳＣＨ）を介して受信する（Ｓ８２）。報知情報では、セル再選択の際に端末３０ａが優先的に選択する周波数情報や、ＭＢＭＳサービスをサポートしている周波数の情報が送信される（Ｓ８４）。このとき、報知情報ではアクセス禁止情報は送られていないものとする。
【００８１】
端末３０ａは、ＭＢＭＳサポート周波数情報を報知情報で受信すると、現在の周波数（f_x）からＭＢＭＳサポート周波数（f_mbms）に、キャンプオン周波数を切り替える（Ｓ８６）。これによって、端末３０ａは周波数f_mbmsから報知情報とページングを受けるようになる（Ｓ８８）。
【００８２】
端末３０ａは、基地局１０から、セル内で利用可能なＭＢＭＳサービスのリストを論理チャネルのＭＣＣＨによって受信する（Ｓ９０）。ＭＣＣＨは、トランスポートチャネルのＤＬ−ＳＣＨもしくはＭＣＨにマッピングされている。ここで、基地局１０がＭＢＭＳ端末３０ａに対するアクセスクラス制御の実施を決定した場合に、セル内で利用可能なＭＢＭＳサービスのリストと同時に、アクセス禁止情報がＭＣＣＨで送られる。アクセス禁止情報の内容は、第１の実施の形態の基地局１０から送信されるアクセス禁止情報と同じである。
【００８３】
端末３０ａは、受信したいＭＢＭＳサービス（ここでは、ＭＢＭＳサービス#1とする）がリストに含まれていた場合に、アイドル状態から基地局１０とコネクションを設立してアクティブ状態となり（Ｓ９２）、ＭＢＭＳサービス#1に対するサービスリクエストを基地局１０に送信する（Ｓ９４）。基地局１０は、端末３０ａからのサービスリクエストを受信すると、該当するサービスを受信するための無線ベアラを設定する（Ｓ９６）。端末３０ａは、基地局１０によって設定された無線ベアラを介してＭＢＭＳサービス#1を受信する（Ｓ９８）。
【００８４】
その後、基地局１０は、端末３０ａに対してＲＲＣコネクション解放メッセージを送信し（Ｓ１００）、端末３０ａはこのメッセージを受けると再びアイドル状態に戻る（Ｓ１０４）。ＲＲＣコネクション解放メッセージには、端末３０ａがアイドル状態になった後に優先的に選択する周波数（ここではf_xとする）が示される。これは、基地局１０に接続する複数の端末３０ａを複数の周波数に分散し、ひとつの周波数に負荷が集中するのを避けるためである。しかし、ここでは端末３０ａは、ＭＢＭＳサービスを受信するために、基地局１０から指示された優先周波数（f_x）には移動せず、ＭＢＭＳサポート周波数（f_mbms）に留まる。端末３０ａは基地局１０から指示された優先周波数（f_x）を記憶部３６に記憶しておく（Ｓ１０２）。なお、受信したいＭＢＭＳサービス（ＭＢＭＳサービス#1）が既に基地局１０から送信されている場合には、Ｓ９２、Ｓ９４、Ｓ９６、Ｓ１００のステップは省略される。
【００８５】
図９に示す例では、ＭＢＭＳサービス#1を受信している端末３０ａが、基地局１０とコネクションを張りアクティブ状態に移行するか否かを判定する（Ｓ１０８）。端末３０ａが基地局１０と接続すると判定された場合には（Ｓ１０８でＹＥＳ）、アクセスクラス制御を実行する。
【００８６】
端末３０ａは、端末個別に発生させたランダムな値とアクセス確率係数とを比較し、ランダム値がアクセス確率係数を下回っているか否か判定する（Ｓ１１０）。ランダム値が、アクセス確率係数を下回っていた場合（Ｓ１１０でＹＥＳ）、端末３０ａはＲＡＣＨプリアンブルを送信する（Ｓ１１２）。
【００８７】
ランダムな値がアクセス確率係数以上の場合（Ｓ１１０でＮＯ）、端末３０ａは、優先周波数（f_x）の情報を記憶部３６から読み出し、読み出した優先周波数（f_x）に移動して（Ｓ１１４）、優先周波数（f_x）においてＲＡＣＨプリアンブルを送信する（Ｓ１１６）。記憶部３６に優先周波数（f_x）の情報が記憶されていない場合は、報知情報で送られる端末３０ａが優先的に選択する周波数情報に基づいて周波数再選択を行う。
【００８８】
図１０は、上記した端末３０ａと基地局１０のシグナリングを実現する端末３０ａの動作を示す図である。端末３０ａは、ＭＢＭＳ制御情報を受信すると（Ｓ１３０）、その中にアクセス禁止情報が含まれているか否かを判定する（Ｓ１３２）。アクセスクラス禁止情報が含まれていない場合は（Ｓ１３２でＮＯ）、ＲＡＣＨプリアンブルを送信する（Ｓ１３４）。
【００８９】
アクセスクラス禁止情報が含まれている場合は（Ｓ１３２でＹＥＳ）、アクセスクラス制御を実施する。アクセスクラス制御では、端末３０ａは、まず、ランダムな値を生成し、生成したランダム値とアクセス確率係数とを比較する（Ｓ１３６）。ランダムな値がアクセス確率係数より小さい場合は（Ｓ１３６でＹＥＳ）、ＲＡＣＨプリアンブルを送信する（Ｓ１３８）。
【００９０】
ランダムな値がアクセス確率係数以上の場合は（Ｓ１３６でＮＯ）、周波数の変更を行う。端末３０ａは、基地局１０からＲＲＣコネクション解放時にＲＲＣメッセージで優先周波数が指示されているか否かを判定する（Ｓ１４０）。優先周波数がある場合、すなわち記憶部３６に優先周波数が記憶されている場合には（Ｓ１４０でＹＥＳ）、その周波数に移動し（Ｓ１４２）、ＲＡＣＨプリアンブルを送信する（Ｓ１４６）。
【００９１】
優先周波数が指示されていない場合、すなわち記憶部３６に優先周波数が記憶されていない場合には（Ｓ１４０でＮＯ）、報知情報に含まれる端末３０ａが優先的に選択する周波数情報をもとに、周波数再選択を行う（Ｓ１４４）。新しく選択した周波数に移動した後、ＲＡＣＨプリアンブルを送信する（Ｓ１４６）。以上、第２の実施の形態の基地局１０および端末３０ａの構成および動作について説明した。
【００９２】
第２の実施の形態の端末３０ａは、アクセスクラス制御において、端末個別に発生させたランダム値がアクセス確率係数値より小さい場合に、基地局１０によって指示された優先周波数に分散させることによって、特定の周波数の混雑を解消し、ＲＡＣＨプリアンブルの衝突を削減することができる。
【００９３】
なお、上記した実施の形態において、端末３０ａが初めからＭＢＭＳサポートセルにいる場合は、ＭＢＭＳサポート周波数情報は報知情報で送らなくてもよい。
【００９４】
（第３の実施の形態）
次に、第３の実施の形態の基地局１０および端末３０ｂについて説明する。第３の実施の形態の基地局１０および端末３０ｂの基本的な構成は、第２の実施の形態の基地局１０および端末３０ａと同じである。第３の実施の形態の端末３０ｂは、ＭＢＭＳサービスとユニキャストサービスの優先度に応じて、ＲＡＣＨプリアンブルのアクセス制御を行う点が、第２の実施の形態の端末３０ａと異なる。
【００９５】
図１１は、第３の実施の形態に端末３０ｂの構成を示す図である。第３の実施の形態の端末３０ｂは、第２の実施の形態の端末３０ａの構成に加え、優先度判定部４２およびタイマ制御部３８を有している。
【００９６】
アクセスクラス制御部３７は、制御部３５からの指示に従って、ランダムな値を発生させ、その値とアクセス確率係数を比較する。比較の結果、ランダムな値がアクセス確率係数以上の場合、優先度判定部４２にて、優先度の判定を指示する。比較の結果、ランダムな値がアクセス確率係数を下回っている場合、ＲＡＣＨプリアンブル生成部３９に、ＲＡＣＨプリアンブルの生成を指示する。
【００９７】
優先度判定部４２は、ユニキャストサービスとＭＢＭＳサービスの優先度を比較し、ユニキャストサービスの優先度が高ければ、周波数変更部４１に周波数の変更を指示する。ＭＢＭＳサービスの優先度が高ければ、タイマ制御部３８にタイマの実行を指示する。
【００９８】
周波数変更部４１は、記憶部３６に優先周波数の情報が記憶されている場合、その周波数に移動する。記憶部３６に優先周波数情報が記憶されていない場合、記憶部３６から報知情報を読み出し、読み出した報知情報に含まれる端末３０ｂが優先的に選択する周波数情報に基づいて周波数再選択を行う。
【００９９】
タイマ制御部３８は、優先度判定部４２の指示に従って、禁止タイマを計算及び実行し、禁止タイマの値が終了するまでは、ＲＡＣＨプリアンブルの送信を禁止する。
【０１００】
図１２は、第３の実施の形態に係る基地局１０と端末３０ｂのシグナリングの動作を示す図である。端末３０ｂがＭＢＭＳサービスを受けるまでの動作は、第２の実施の形態におけるシグナリングの動作と同じである（Ｓ８０〜Ｓ１０６）。
【０１０１】
ＭＢＭＳサービス#1を受信している端末３０ｂが、基地局１０とコネクションを張りアクティブ状態に移行しようとするとき（Ｓ１０８でＹＥＳ）、アクセスクラス制御を実行する。アクセスクラス制御では、まず、端末３０ｂは、端末個別に発生させたランダムな値とアクセス確率係数とを比較し、ランダム値がアクセス確率係数を下回っているか否かを判定する（Ｓ１１０）。アクセス確率係数を下回っていた場合（Ｓ１１０でＹＥＳ）、端末３０ｂはＲＡＣＨプリアンブルを送信する（Ｓ１１２）。
【０１０２】
ランダムな値がアクセス確率係数以上の場合（Ｓ１１０でＮＯ）、ユニキャストサービスとＭＢＭＳサービスの優先度を比較する（Ｓ１１３）。サービスの優先度は、あらかじめユーザによって設定されてもよいし、基地局１０が設定してもよい。サービス優先度の比較の結果、ユニキャストサービスの優先度が高い場合（Ｓ１１３でＹＥＳ）、端末３０ｂは記憶部３６から優先周波数（f_x）の情報を読み出し、読み出した優先周波数（f_x）に移動して（Ｓ１１４）、周波数（f_x）においてＲＡＣＨプリアンブルを送信する（Ｓ１１６）。記憶部３６に優先周波数の情報が記憶されていない場合は、端末３０ｂは、報知情報で送られる端末３０ｂが優先的に選択する周波数情報に基づいてセル再選択を行う。
【０１０３】
ユニキャストサービスよりＭＢＭＳサービスの優先度が高い場合は（Ｓ１１３でＮＯ）、端末３０ｂは禁止タイマの値を計算し（Ｓ１１８）、禁止タイマを開始し（Ｓ１２０）、禁止タイマがタイムアウトするまで待機する。端末３０ｂは、禁止タイマがタイムアウトしたら（Ｓ１２２）、ランダム値とアクセス確率係数とを比較するステップＳ１１０に戻る。
【０１０４】
図１３は、上記した端末３０ｂと基地局１０のシグナリングを実現する端末３０ｂの動作を示す図である。端末３０ｂは、ＭＢＭＳ制御情報を受信すると（Ｓ１３０）、その中にアクセス禁止情報が含まれているか否かを判定する（Ｓ１３２）。アクセスクラス禁止情報が含まれていない場合は（Ｓ１３２でＮＯ）、ＲＡＣＨプリアンブルを送信する（Ｓ１３４）。
【０１０５】
アクセスクラス禁止情報が含まれている場合は（Ｓ１３２でＹＥＳ）、アクセスクラス制御を実施する。アクセスクラス制御では、端末３０ｂは、まず端末個別に発生させたランダムな値を生成し、アクセス確率係数と比較して、ランダム値がアクセス確率係数を下回るか否かを判定する（Ｓ１３６）。ランダムな値がアクセス確率係数より小さい場合は（Ｓ１３６でＹＥＳ）、ＲＡＣＨプリアンブルを送信する（Ｓ１３８）。
【０１０６】
ランダムな値がアクセス確率係数以上の場合は（Ｓ１３６でＮＯ）、ユニキャストサービスとＭＢＭＳサービスの優先度の比較を行う（Ｓ１３９）。ユニキャストサービスの優先度が高い場合には（Ｓ１３９でＹＥＳ）、周波数の変更を行う。基地局１０からＲＲＣコネクション解放時にＲＲＣメッセージで優先周波数が指示されているか否かを判定する（Ｓ１４０）。優先周波数が指示されている場合には（Ｓ１４０でＹＥＳ）、その周波数に移動し（Ｓ１４２）、ＲＡＣＨプリアンブルを送信する（Ｓ１４６）。
【０１０７】
優先周波数が指示されていない場合には（Ｓ１４０でＮＯ）、報知情報に含まれる端末３０ｂが優先的に選択する周波数情報をもとに、周波数再選択を行う（Ｓ１４４）。新しく選択した周波数に移動した後、ＲＡＣＨプリアンブルを送信する（Ｓ１４６）。
【０１０８】
ＭＢＭＳサービスの優先度が高い場合には（Ｓ１３９でＮＯ）、端末３０ｂは、禁止タイマを計算する（Ｓ１４８）。禁止タイマの値は、ＭＢＭＳ制御情報の中に含まれるアクセスクラス禁止情報に示される禁止タイマのデフォルト値に、端末個別に発生させたランダムな値を乗じて算出する。端末３０ｂは、算出した禁止タイマを実行し（Ｓ１５０）、禁止タイマ実行中はＲＡＣＨプリアンブルの送信を禁止する。禁止タイマがタイムアウトしたら（Ｓ１５２）、再び、端末３０ｂは端末個別に発生させたランダム値とアクセス確率係数との比較を行う（Ｓ１３６）。以上、第３の実施の形態の基地局１０および端末３０ｂの構成および動作について説明した。
【０１０９】
第３の実施の形態によれば、端末３０ｂがユニキャストサービスとＭＢＭＳサービスのどちらの優先度が高いかに基づいて、ＲＡＣＨプリアンブル送信を優先するか、ＭＢＭＳサービス受信を優先するかを選択することができる。
【０１１０】
ＲＡＣＨプリアンブルを送信する場合には、基地局１０にて指定された優先周波数で送信するので、ＲＡＣＨプリアンブルの衝突を削減することができる。
【０１１１】
上記した実施の形態において、ＭＢＭＳサービスごとに優先度を設定することとし、設定された優先度とユニキャストサービスとの優先度を比較してもよい。これにより、例えば、ＭＢＭＳサービス「Ａ」ならばユニキャストサービスを優先して切り替えを行い、ＭＢＭＳサービス「Ｂ」ならばユニキャストサービスより優先しＭＢＭＳサービス「Ｂ」を継続するというきめ細かい制御が可能となる。
【０１１２】
上記した実施の形態において、例えば、端末３０ｂがダウンリンクのリソースをどれだけ利用するかに応じて、ＲＡＣＨプリアンブルのアクセス制御を行うこととしてもよい。例えば、図１３のＳ１３９におけるＭＢＭＳサービスとユニキャストサービスの優先度判定の代わりに、端末３０ｂが現在使用しているダウンリンクリソースと基地局１０で設定された規定量との比較判定を行い、規定量を上回っている場合は、禁止タイマを計算し（Ｓ１４８）、規定量を下回っている場合は、周波数の変更を行う、といった動作が考えられる。なお、端末のダウンリンクリソース使用量と、ＭＢＭＳサービスとユニキャストサービスの優先度を組み合わせて使うこととしてもよい。
【０１１３】
上記した実施の形態において、ユニキャストサービスとＭＢＭＳサービスのいずれも実施することとしてもよい。例えば、ユニキャストサービスとＭＢＭＳサービスのいずれも「high  priority」の場合など、ユニキャストとＭＢＭＳサービスの優先度が同じ、または、ユニキャストとＭＢＭＳサービスの優先度の違いが小さい場合には、ユニキャストサービスとＭＢＭＳサービスのいずれも実施することとしてもよい。
【０１１４】
以上に現時点で考えられる本発明の好適な実施の形態を説明したが、本実施の形態に対して多様な変形が可能なことが理解され、そして、本発明の真実の精神と範囲内にあるそのようなすべての変形を添付の請求の範囲が含むことが意図されている。
【産業上の利用可能性】
【０１１５】
本発明は、ＭＢＭＳサービスを受けていない端末によるコネクション確立の容易性を保ちつつＭＢＭＳサービスを提供できるというすぐれた効果を有し、ＭＢＭＳサービスを提供する基地局およびこれを受ける端末等として有用である。
【符号の説明】
【０１１６】
１０  基地局
１１  ＭＢＭＳ関連情報記憶部
１２  ランダムアクセス関連情報記憶部
１３  ＭＢＭＳ制御情報生成部
１４  ＭＢＭＳデータ送信部
１５  報知情報送信部
１６  ユニキャストデータ処理部
１７  ＲＡＣＨ処理部
１８  データ処理部
１９  送信部
２０  受信部
２１  アンテナ
３０  端末
３１  アンテナ
３２  受信部
３３  送信部
３４  データ再生部
３５  制御部
３６  記憶部
３７  アクセスクラス制御部
３８  タイマ制御部
３９  ＲＡＣＨプリアンブル生成部
４０  データ送信部
【図１】
2010018658.tif 000003
【図２】
2010018658.tif 000004
【図３】
2010018658.tif 000005
【図４】
2010018658.tif 000006
【図５】
2010018658.tif 000007
【図６】
2010018658.tif 000008
【図７】
2010018658.tif 000009
【図８】
2010018658.tif 000010
【図９】
2010018658.tif 000011
【図１０】
2010018658.tif 000012
【図１１】
2010018658.tif 000013
【図１２】
2010018658.tif 000014
【図１３】
2010018658.tif 000015
【図１４】
2010018658.tif 000016
【図１５】
2010018658.tif 000017
【手続補正書】
【提出日】平成22年10月6日(2010.10.6)
【手続補正１】
【補正対象書類名】特許請求の範囲
【補正対象項目名】全文
【補正方法】変更
【補正の内容】
【特許請求の範囲】
【請求項１】
ＭＢＭＳデータを送信するデータ送信部と、
アクセスクラス制御情報（access  Barring  Information）を含むＭＢＭＳ制御情報を送信する制御情報送信部と、
を具備する無線送信装置。
【請求項２】
前記アクセスクラス制御情報は、ＭＢＭＳサービスごとに異なるアクセスクラス制御を行うことが可能な情報である請求項１に記載の無線送信装置。
【請求項３】
前記アクセスクラス制御情報は、ＭＢＭＳサービスごとの優先度を含むことが可能な情報である請求項１または２に記載の無線送信装置。
【請求項４】
ＭＢＭＳデータを受信するデータ受信部と、
アクセスクラス制御情報を含むＭＢＭＳ制御情報を受信する制御情報受信部と、
前記ＭＢＭＳ制御情報に基づいてアクセスクラス制御を行うアクセスクラス制御部と、
前記アクセスクラス制御の結果に基づいてランダムアクセスプリアンブルを送信するランダムアクセスプリアンブル送信部と、
を具備する無線受信装置。
【請求項５】
前記ＭＢＭＳデータ受信部は、第１の周波数でデータを受信し、
前記ランダムアクセスプリアンブル送信部は、前記アクセスクラス制御の結果、ランダムアクセスプリアンブルを送信可能な場合に前記第１の周波数でランダムアクセスプリアンブルを送信し、ランダムアクセスプリアンブルが送信可能でない場合に第２の周波数でランダムアクセスプリアンブルを送信する請求項４に記載の無線受信装置。
【請求項６】
前記制御情報受信部は、前記第１の周波数でランダムアクセスプリアンブルを送信できない場合に優先的に用いる優先周波数の情報をＲＲＣプロトコルによってさらに受信し、
前記ランダムアクセスプリアンブル送信部は、
前記アクセスクラス制御の結果、ランダムアクセスプリアンブルが送信可能でない場合に、前記第２の周波数として前記優先周波数を用いてランダムアクセスプリアンブルを送信する請求項５に記載の無線受信装置。
【請求項７】
ＭＢＭＳサービスとユニキャストサービスの優先度を判定する優先度判定部をさらに具備し、
前記アクセスクラス制御の結果、前記第１の周波数でランダムアクセスプリアンブルが送信可能でない場合に、前記優先度判定部にて、現在受信中のＭＢＭＳサービスとユニキャストサービスとの優先度を判定し、ユニキャストサービスの優先度がＭＢＭＳサービスの優先度よりも高いと判定された場合に、第２の周波数でランダムアクセスプリアンブルを送信する請求項５に記載の無線受信装置。
【請求項８】
請求項１から請求項３のいずれかに記載の無線送信装置を具備する基地局装置。
【請求項９】
請求項４から請求項７のいずれかに記載の無線受信装置を具備する端末装置。
【請求項１０】
請求項８に記載の基地局装置と請求項９に記載の端末装置からなる無線通信システム。
【請求項１１】
ＭＢＭＳデータを送信するデータ送信ステップと、
アクセスクラス制御情報（access  Barring  Information）を含むＭＢＭＳ制御情報を送信する制御情報送信ステップと、
を具備する無線送信方法。
【請求項１２】
ＭＢＭＳデータを受信するデータ受信ステップと、
アクセスクラス制御情報を含むＭＢＭＳ制御情報を受信する制御情報受信ステップと、
前記ＭＢＭＳ制御情報に基づいてアクセスクラス制御を行うアクセスクラス制御ステップと、
前記アクセスクラス制御の結果に基づいてランダムアクセスプリアンブルを送信するランダムアクセスプリアンブル送信ステップと、
を具備する無線受信方法。
【手続補正２】
【補正対象書類名】明細書
【補正対象項目名】全文
【補正方法】変更
【補正の内容】
【発明の詳細な説明】
【関連する出願】
【０００１】
本出願では、２００８年８月１２日に日本国に出願された特許出願番号２００８−２０７７６０の利益を主張し、当該出願の内容は引用することによりここに組み込まれているものとする。
【技術分野】
【０００２】
本発明は、無線通信の技術分野に関し、特にマルチメディア・ブロードキャスト／マルチキャストサービス（Multimedia  Broadcast/Multicast  Service：以下「ＭＢＭＳ」という）を行う無線送信装置及びこれを受ける無線受信装置に関する。
【背景技術】
【０００３】
無線通信装置がアイドル状態から発呼手順に移るとき、無線通信装置と基地局装置との間に個別チャネルを設定するために、何らかの手順でネットワークに信号を送る必要がある。ここで無線通信装置からネットワークに信号を送るために使われるのが、上り共通物理チャネルのランダムアクセスチャネル（Random  Access  Channel：以下「ＲＡＣＨ」という）である。
【０００４】
無線通信装置は、下りの共通パイロットチャネル（Common  Pilot  Channel、以下「ＣＰＩＣＨ」という）の受信レベル測定と、ＲＡＣＨの試行の検出及び到来タイミング推定を行うためのプリアンブルによって、送信電力を決定する。複数の無線通信装置が同時に同じスロットを使っても衝突しないように、プリアンブルにはシグネチャと呼ばれる系列を使う。シグネチャが異なるプリアンブルは、同時に受信しても区別して検出できる。従って、衝突が起こるのはアクセススロットとシグネチャの両方が一致した時のみであり、一般に複数の無線通信装置から送信されるプリアンブルが衝突する可能性は低い。しかし、稀に、セル内の複数の無線通信装置から送信されるプリアンブルが衝突することもある。
【０００５】
図１４は、プリアンブルの衝突の可能性を低減するアクセスクラス制御の動作を示す図である。基地局１００は、報知情報（system  information）の一つであるアクセス禁止情報（access  Barring  Information）を、トランスポートチャネルの下り共有チャネル（Downlink  Shared  Channel、以後「ＤＬ−ＳＣＨ」という）を介して送信する（Ｓ２００）。アクセス禁止情報には、アクセスクラス制御に用いるアクセスの可否を決定する閾値（「access  probability  factor」以下、「アクセス確率係数」という）や、禁止タイマの計算に用いるデフォルト値が含まれる。
【０００６】
アクセス禁止情報を受信した端末１０２は、基地局１００への接続を行うか否かを判定する（Ｓ２０２）。接続を行う場合には（Ｓ２０２でＹＥＳ）、ランダムアクセスプリアンブル（以下、「ＲＡＣＨプリアンブル」ともいう）を送信する前にアクセスクラス制御を行う。具体的には、端末１０２は、端末個別に発生させたランダムな値とアクセス禁止情報で通知されたアクセス確率係数とを比較する（Ｓ２０４）。ランダム値がアクセス確率係数を下回っていた場合（Ｓ２０４でＹＥＳ）、端末１０２は、ＲＡＣＨプリアンブルを送信する（Ｓ２０６）。ランダムな値がアクセス確率係数以上の場合（Ｓ２０４でＮＯ）、端末１０２は禁止タイマ（barring  timer）の値を計算し（Ｓ２０８）、禁止タイマを開始し（Ｓ２１０）、禁止タイマの値が切れるまで待機する。禁止タイマがタイムアウトしたら（Ｓ２１２）、端末１０２は、ランダムな値とアクセス確率係数とを比較するステップＳ２０４に移行する。禁止タイマの値は、報知情報で送信されるデフォルトの値に、端末１０２にて発生させた禁止タイマ用のランダムな値を掛け合わせて算出する。これによって、複数の端末１０２の間においてＲＡＣＨプリアンブル送信開始時刻が分散するため、ＲＡＣＨプリアンブルの衝突の可能性を低減できる。なお、アクセスクラス制御については、特許文献１および非特許文献１，２に記載されている。
【先行技術文献】
【特許文献】
【０００７】
【特許文献１】特表２００６−５０５９７９号公報
【非特許文献】
【０００８】
【非特許文献１】3GPP  TS36.331  v8.2.0  “Evolved  Universal  Terrestrial  Radio  Access  (E-UTRA)  Radio  Resource  Control  (ＲＲＣ)”
【非特許文献２】3GPP  TSG  RAN  WG2  meeting  #61bis  R2-081737,  “Access  Class  barring  enhancements  to  support  PPAC”,  NTT  DoCoMo,  Inc.
【発明の概要】
【発明が解決しようとする課題】
【０００９】
移動体通信の分野においては、近年、放送サービス又はマルチキャストサービスであるＭＢＭＳに関する技術的な検討が行われている。ＭＢＭＳは、１対１の通信ではなく、１対多の通信であり、１つの基地局装置が複数の端末装置に対して同時に同一データ（例えば、音楽データやビデオ画像データ等）を送信する。
【００１０】
ユニキャスト通信では、基地局装置が、個別チャネルを使用してストリーミングサービス等の情報を送信すると、その情報を受信したい端末装置が増えた場合に、無線回線にかかる負荷が大きくなってしまう。しかし、ＭＢＭＳでは、端末装置が増えた場合でもそれらの端末装置全てが同じチャネルを使用して情報を受信するので、無線回線にかかる負荷を増大させることなく情報を受信できる端末装置を増加させることができるという利点がある。現在、ＭＢＭＳを用いたサービスとしては、交通情報の配信、音楽配信、ニュース配信、スポーツ中継の配信等が考えられている。
【００１１】
ところで、ＭＢＭＳを用いたサービスを行うと、ＭＢＭＳサービスを提供しているセルに多数の端末が集まることが予想される。特定のセルに多数の端末が集中すると、それらの端末から送信されるＲＡＣＨプリアンブルの量も増加する。これにより、アクセスクラス制御によってＲＡＣＨプリアンブルの送信が許可されず、ＭＢＭＳのサービスを受けていない端末まで基地局とのコネクションを張れない状態が続いてしまうという問題がある。また、この問題は、セル単位だけでなく、一つの基地局が提供する異なる周波数帯域の間でも発生する可能性がある。
【００１２】
図１５は、ＭＢＭＳサービスを提供する基地局の周波数配置の例を示す図である。図１５では、１つの基地局が３つの異なる周波数帯（f_x,  f_y,  f_mbms）を管理している。２つの周波数帯（f_x,  f_y）はユニキャストサービスのみを提供していて、残りの１つの周波数帯（f_mbms）はユニキャストサービスとＭＢＭＳサービスの両方を提供している。この時、ＭＢＭＳサービスを受けたい端末が集中すると、周波数（f_x,  f_y）が比較的空いている一方で、ＭＢＭＳサービスを提供している周波数f_mbmsが混雑するという場合が想定できる。
【００１３】
本発明はかかる点に鑑みてなされたものであり、ＭＢＭＳを提供するセルにおいて、ＭＢＭＳを受けていない無線通信装置のコネクション確立の容易性を保ち、ユーザ満足度を損なわない無線送信装置、無線受信装置を提供することを目的とする。
【課題を解決するための手段】
【００１４】
本発明の無線送信装置は、ＭＢＭＳデータを送信するデータ送信部と、アクセスクラス制御情報（access  Barring  Information）を含むＭＢＭＳ制御情報を送信する制御情報送信部とを具備する。
【００１５】
本発明の無線受信装置は、ＭＢＭＳデータを受信するデータ受信部と、アクセスクラス制御情報を含むＭＢＭＳ制御情報を受信する制御情報受信部と、前記ＭＢＭＳ制御情報に基づいてアクセスクラス制御を行うアクセスクラス制御部と、前記アクセスクラス制御の結果に基づいてランダムアクセスプリアンブルを送信するランダムアクセスプリアンブル送信部とを具備する。
【発明の効果】
【００１６】
この構成により、アクセスクラス制御情報は、ＭＢＭＳサービスを受ける端末にのみ送信され、ＭＢＭＳサービスを受けていない端末には送信されないので、ＭＳＭＳサービスを受けている端末のみがアクセスクラス制御の対象となる。ＭＢＭＳサービスを受けている端末は、ＭＢＭＳ制御情報に含まれるアクセスクラス制御情報に基づいてアクセスクラス制御を行うので、ＭＢＭＳサービスを受けている端末のコネクション確立が制限され、ＭＢＭＳサービスを受けていない端末のコネクション確立の容易性を保つことができる。
【００１７】
以下に説明するように、本発明には他の態様が存在する。したがって、この発明の開示は、本発明の一部の提供を意図しており、ここで記述され請求される発明の範囲を制限することは意図していない。
【図面の簡単な説明】
【００１８】
【図１】図１は、第１の実施の形態の基地局の構成を示す図
【図２】図２は、第１の実施の形態の端末の構成を示す図
【図３】図３は、第１の実施の形態が適用されるネットワークを示す図
【図４】図４は、第１の実施の形態のシグナリング動作を示す図
【図５】図５は、アクセス禁止情報の例を示す図
【図６】図６は、第１の実施の形態の基地局の動作を示す図
【図７】図７は、第１の実施の形態の端末の動作を示す図
【図８】図８は、第２の実施の形態の端末の構成を示す図
【図９】図９は、第２の実施の形態のシグナリング動作を示す図
【図１０】図１０は、第２の実施の形態の端末の動作を示す図
【図１１】図１１は、第３の実施の形態の端末の構成を示す図
【図１２】図１２は、第３の実施の形態のシグナリング動作を示す図
【図１３】図１３は、第３の実施の形態の端末の動作を示す図
【図１４】図１４は、従来のアクセスクラス制御の動作を示す図
【図１５】図１５は、ＭＢＭＳサービスを提供する基地局の周波数配置の例を示す図
【発明を実施するための形態】
【００１９】
以下に、本発明の詳細な説明を述べる。以下に説明する実施の形態は本発明の単なる例であり、本発明は様々な態様に変形することができる。従って、以下に開示する特定の構成および機能は、請求の範囲を限定するものではない。
【００２０】
本実施の形態の無線送信装置は、ＭＢＭＳデータを送信するデータ送信部と、アクセスクラス制御情報（access  Barring  Information）を含むＭＢＭＳ制御情報を送信する制御情報送信部とを具備する。
【００２１】
この構成により、アクセスクラス制御情報は、ＭＢＭＳサービスを受ける端末にのみ送信され、ＭＢＭＳサービスを受けていない端末には送信されないので、ＭＳＭＳサービスを受けている端末のみがアクセスクラス制御の対象となる。ＭＢＭＳサービスを受けている端末のアクセスクラス制御を行うことにより、ＭＢＭＳサービスを受けていない端末によるコネクション確立の容易性を保つことができる。
【００２２】
本実施の形態の無線送信装置は、前記アクセスクラス制御情報として、異なるＭＢＭＳサービスごとにアクセスクラス制御を行うことが可能な情報を用いる構成を有する。
【００２３】
この構成により、端末が受信中のＭＢＭＳサービスの種類によってコネクション確立の容易さを制御できる。例えば、人気のないＭＢＭＳサービスを受けている端末は、人気のあるＭＢＭＳサービスを受けている端末より、コネクション確立を容易にするような制御を行える。
【００２４】
本実施の形態の無線送信装置は、前記アクセスクラス制御情報として、ＭＢＭＳサービスごとの優先度を含むことが可能な情報を用いる構成を有する。
【００２５】
この構成により、端末は、それぞれのＭＢＭＳサービスの優先度に基づいて、ＭＢＭＳサービスを継続するか、別のコネクションを確立するかを判断することが可能となる。
【００２６】
本実施の形態の無線受信装置は、ＭＢＭＳデータを受信するデータ受信部と、アクセスクラス制御情報を含むＭＢＭＳ制御情報を受信する制御情報受信部と、前記ＭＢＭＳ制御情報に基づいてアクセスクラス制御を行うアクセスクラス制御部と、前記アクセスクラス制御の結果に基づいてランダムアクセスプリアンブルを送信するランダムアクセスプリアンブル送信部とを具備する。
【００２７】
この構成により、ＭＢＭＳサービスを受けている端末は、ＭＢＭＳ制御情報に含まれるアクセスクラス制御情報に基づいてアクセスクラス制御を行うので、ＭＢＭＳサービスを受けている端末のコネクション確立が制限され、ＭＢＭＳサービスを受けていない端末のコネクション確立の容易性を保つことができる。
【００２８】
本実施の形態の無線受信装置において、前記ＭＢＭＳデータ受信部は、第１の周波数でデータを受信し、前記ランダムアクセスプリアンブル送信部は、前記アクセスクラス制御の結果、ランダムアクセスプリアンブルを送信可能な場合に前記第１の周波数でランダムアクセスプリアンブルを送信し、ランダムアクセスプリアンブルが送信可能でない場合に第２の周波数でランダムアクセスプリアンブルを送信する構成を有する。
【００２９】
この構成により、ＭＢＭＳサービスを提供している第１の周波数とは異なる第２の周波数にてランダムアクセスプリアンブルを送信することにより、ランダムアクセスプリアンブルの送信に用いる周波数を第１の周波数と第２の周波数とに分散し、ランダムアクセスプリアンブルの衝突の可能性を低減できる。
【００３０】
本実施の形態の無線受信装置において、前記制御情報受信部は、前記第１の周波数でランダムアクセスプリアンブルを送信できない場合に優先的に用いる優先周波数の情報をＲＲＣプロトコルによってさらに受信し、前記ランダムアクセスプリアンブル送信部は、アクセスクラス制御の結果、ランダムアクセスプリアンブルが送信可能でない場合に、前記第２の周波数として前記優先周波数を用いてランダムアクセスプリアンブルを送信する構成を有する。
【００３１】
この構成により、基地局は、端末に対して優先周波数を設定し、ランダムアクセスプリアンブルの送信周波数を制御することができる。
【００３２】
本実施の形態の無線受信装置は、ＭＢＭＳサービスとユニキャストサービスの優先度を判定する優先度判定部をさらに具備し、アクセスクラス制御の結果、前記第１の周波数でランダムアクセスプリアンブルが送信可能でない場合に、前記優先度判定部にて、現在受信中のＭＢＭＳサービスとユニキャストサービスとの優先度を判定し、ユニキャストサービスの優先度がＭＢＭＳサービスの優先度よりも高いと判定された場合に、第２の周波数でランダムアクセスプリアンブルを送信する構成を有する。
【００３３】
この構成により、ユニキャストサービスを優先する場合には、第２の周波数に切り替えて速やかにランダムアクセスプリアンブルを送信できると共に、ＭＢＭＳサービスを優先する場合には、コネクション確立までの時間を犠牲にして第１の周波数で継続してＭＢＭＳサービスを受けることができる。
【００３４】
本実施の形態の基地局装置は、上記した無線送信装置の構成を有し、本実施の形態の端末装置は、上記した無線受信装置の構成を有する。本実施の形態の無線通信システムは、上記した基地局装置と端末装置とを具備する。
【００３５】
この構成により、基地局装置がＭＢＭＳサービスを提供すると共に、ＭＢＭＳサービスに伴って生じ得るコネクション確立までに時間がかかるという問題を解決できる。
【００３６】
本実施の形態の無線送信方法は、ＭＢＭＳデータを送信するデータ送信ステップと、アクセスクラス制御情報（access  Barring  Information）を含むＭＢＭＳ制御情報を送信する制御情報送信ステップとを具備する。
【００３７】
この構成により、上記した本実施の形態の無線送信装置と同様に、ＭＢＭＳサービスを受けている端末のアクセスクラス制御を行うことにより、ＭＢＭＳサービスを受けていない端末のコネクション確立の容易性を保つことができる。
【００３８】
本実施の形態の無線受信方法は、ＭＢＭＳデータを受信するデータ受信ステップと、アクセスクラス制御情報を含むＭＢＭＳ制御情報を受信する制御情報受信ステップと、前記ＭＢＭＳ制御情報に基づいてアクセスクラス制御を行うアクセスクラス制御ステップと、前記アクセスクラス制御の結果に基づいてランダムアクセスプリアンブルを送信するランダムアクセスプリアンブル送信ステップとを具備する。
【００３９】
この構成により、上記した本実施の形態の無線受信装置と同様に、ＭＢＭＳサービスを受けている端末は、ＭＢＭＳ制御情報に含まれるアクセスクラス制御情報に基づいてアクセスクラス制御を行うので、ＭＢＭＳサービスを受けている端末のランダムアクセスプリアンブルの送信を制限し、ＭＢＭＳサービスを受けていない端末のコネクション確立の容易性を保つことができる。
【００４０】
以下、本発明の実施の形態の無線送信装置および無線受信装置について、図面を参照して詳細に説明する。以下では、基地局装置（以下、「基地局」という）と端末装置（以下、「端末」という）とからなる無線通信システムを例として説明する。以下の例では、基地局が無線送信装置に相当し、端末が無線受信装置に相当する。なお、以下の実施の形態において、同一機能を有する構成には、同一符号を付し、重複する説明は省略する。
【００４１】
なお、以下の各実施の形態では、３ＧＰＰで規格化されている移動通信技術であるLong  Term  Evolution  (LTE)  、System  Architecture  Evolution  (SAE)、MBMSに基づいて説明する。しかし、本発明は、３ＧＰＰで規定されている上記の規格に限らず、無線ＬＡＮ（Wireless  Local  Area  Network）、ＩＥＥＥ８０２．１６、ＩＥＥＥ８０２．１６ｅまたはＩＥＥＥ８０２．１６ｍ等のＷｉＭＡＸ（Worldwide  Interoperability  for  Microwave  Access）、３ＧＰＰ２、あるいは第四世代移動通信技術等の無線アクセス技術に適用することができる。
【００４２】
（第１の実施の形態）
図１は第１の実施の形態に係る基地局１０の構成を示す図、図２は、第１の実施の形態に係る端末３０の構成を示す図である。図１および図２を参照して第１の実施の形態の基地局１０および端末３０について詳細に説明する前に、第１の実施の形態の基地局１０および端末３０が適用されるネットワークの構成について説明する。
【００４３】
図３は、本発明の第１の実施の形態に係るネットワークの構成を示す図である。図３に示すネットワークは、端末（User  Equipment，ＵＥ）３０、基地局（Evolved  Node  B，ｅＮＢ）１０、ＭＢＭＳ制御装置（ＭＢＭＳControl  Entity，ＭＣＥ)５０、及びコアネットワーク（Evolved  Packet  Core，ＥＰＣ）５１から構成される。
【００４４】
基地局１０は、無線資源の割り当て及び管理を行い、端末３０のための無線アクセスネットワークのアクセスポイントの役割を有する。基地局１０は、アップリンクを介して端末３０から転送される情報を受信し、ダウンリンクを介して端末３０にデータを転送する。
【００４５】
ＭＣＥ５０は、複数の基地局１０を管理し、ＭＢＭＳサービスに対する物理リソースブロックの割り当てを行う。ＥＰＣ５１は、移動通信ネットワークの基幹部分であり、ＭＢＭＳコンテンツの配信や、ＭＢＭＳデータ及びセッションの制御等を行う。
【００４６】
次に、図１を参照して基地局１０の構成について説明する。基地局１０は、端末３０に対してデータを送信するための構成として、ＭＢＭＳ関連情報記憶部１１と、ランダムアクセス関連情報記憶部１２と、ＭＢＭＳ制御情報生成部１３と、ＭＢＭＳデータ送信部１４と、報知情報送信部１５と、ユニキャストデータ処理部１６とを有している。基地局１０は、端末３０から受信したデータを処理する構成として、ＲＡＣＨ処理部１７と、データ処理部１８とを有している。
【００４７】
ＭＢＭＳ関連情報記憶部１１は、ＭＢＭＳサービスに関連する制御情報及びデータを記憶している。ランダムアクセス関連情報記憶部１２は、アクセス禁止情報などのランダムアクセス関連情報を記憶している。
【００４８】
ＭＢＭＳ制御情報生成部１３は、ランダムアクセス関連情報記憶部１２からアクセス禁止情報を読み出し、ＭＢＭＳ関連情報記憶部１１からＭＢＭＳサービスに関連する制御情報を読み出す。ＭＢＭＳ制御情報生成部１３は、読み出した情報に基づいて、サービス通知情報やスケジューリング情報などのＭＢＭＳ制御情報を生成し、送信部１９に出力する。ＭＢＭＳデータ送信部１４は、ＭＢＭＳ関連情報記憶部１１から読み出したＭＢＭＳデータを処理し、送信部１９に出力する。
【００４９】
ユニキャストデータ処理部１６は、ユニキャストデータを送信部１９に出力する。報知情報送信部１５は、報知情報を送信部１９に出力する。
【００５０】
送信部１９は、ＭＢＭＳ制御情報生成部１３、ユニキャストデータ処理部１６、ＭＢＭＳデータ送信部１４、報知情報送信部１５から入力された情報をアンテナ２１から送信する。
【００５１】
ＲＡＣＨ処理部１７は、受信部２０から入力されたＲＡＣＨプリアンブルを処理する。データ処理部１８は、受信部２０から入力されたデータを処理する。
【００５２】
受信部２０は、端末３０から送信されたＲＡＣＨプリアンブルや端末３０及びコアネットワークから送信されたデータを受信し、それぞれＲＡＣＨ処理部１７、データ処理部１８に出力する。
【００５３】
次に、図２を参照して端末３０の構成について説明する。端末３０は、基地局１０から送信されたデータをアンテナ３１によって受信する受信部３２と、基地局１０にデータを送信する送信部３３とを備えている。受信部３２は、基地局１０から送信される報知情報、ＭＢＭＳ制御情報、ＭＢＭＳデータ、ユニキャストデータを受信する。受信部３２は、受信した報知情報及びＭＢＭＳ制御情報を制御部３５に入力し、ＭＢＭＳデータ及びユニキャストデータをデータ再生部３４へ入力する。
【００５４】
データ再生部３４は、受信部３２から入力されたＭＢＭＳデータ及びユニキャストデータを再生する。制御部３５は、受信部３２から入力されたＭＢＭＳ制御情報からランダムアクセス制御関連情報及び報知情報を抽出し、記憶部３６に出力する。また、制御部３５は、ランダムアクセス制御関連情報の中に、アクセス禁止情報が含まれていた場合に、アクセスクラス制御部３７にアクセスクラス制御を指示する。
【００５５】
アクセスクラス制御部３７は、ＲＡＣＨプリアンブル送信のアクセス制御を行う。具体的には、アクセスクラス制御部３７は、アクセス制御部３５からの指示に従ってランダムな値を発生させ、その値とアクセス確率係数を比較する。比較の結果、ランダムな値がアクセス確率係数以上の場合、タイマ制御部３８に、禁止タイマの実行を指示する。比較の結果、ランダムな値がアクセス確率係数を下回っている場合、ＲＡＣＨプリアンブル生成部３９に、ＲＡＣＨプリアンブルの生成を指示する。
【００５６】
タイマ制御部３８は、アクセスクラス制御部３７の指示に従って、禁止タイマの計算及び実行を行い、禁止タイマがタイムアウトするまでは、ＲＡＣＨプリアンブルの送信を禁止する。
【００５７】
ＲＡＣＨプリアンブル生成部３９は、アクセスクラス制御部３７の指示に従って、ＲＡＣＨプリアンブルを生成し、送信部３３に出力する。データ送信部４０は、基地局１０に対して送信するデータを送信部３０に出力する。
【００５８】
送信部３３は、ＲＡＣＨプリアンブル生成部３９から入力されたＲＡＣＨプリアンブル及びデータ送信部４０から入力されたデータを基地局１０に送信する。
【００５９】
図４は、本発明の第１の実施の形態に係る基地局１０と端末３０とのシグナリングの動作を示す図である。端末３０は、基地局１０から、報知情報をトランスポートチャネルの下り共有チャネル（ＤＬ−ＳＣＨ）を介して受信する（Ｓ１０）。このとき、報知情報ではアクセス禁止情報は送られていないものとする。
【００６０】
端末３０は、基地局１０から、セル内で利用可能なＭＢＭＳサービスのリストを、論理チャネルのＭＢＭＳ制御チャネル（ＭＢＭＳ  Control  Channel、以後「ＭＣＣＨ」という）を介して受信する（Ｓ１２）。ＭＣＣＨは、トランスポートチャネルのＤＬ−ＳＣＨもしくはMulticast  Channel  (以後「ＭＣＨ」とする)にマッピングされている。
【００６１】
ここで、基地局１０が端末３０に対するアクセスクラス制御の実施を決定した場合に、セル内で利用可能なＭＢＭＳサービスのリストと同時に、アクセス禁止情報がＭＣＣＨで送られる（Ｓ１２）。アクセス禁止情報は、アクセスクラス制御を実施するか否かを示すアクセスタイマフラグと、アクセスクラス制御に用いるアクセス確率係数、デフォルト値のデータを有する。禁止タイマフラグがオンの場合に、ＭＢＭＳサービスを受ける端末はＲＡＣＨプリアンブルの送信に先立ってアクセスクラス制御を行い、オフの場合にはアクセスクラス制御を行わない。アクセス確率係数、デフォルト値は、基本的に全ＭＢＭＳサービスに対して共通に設定する。なお、ＭＢＭＳサービスごとに、アクセス確率係数、デフォルト値を設定することも可能である。
【００６２】
図５は、アクセス禁止情報の別の例を示す図である。この例では、アクセス禁止情報は、ＭＢＭＳサービスに、禁止タイマフラグが関連付けられて構成されている。禁止タイマフラグがオンの場合には、アクセスクラス制御を実施するためのデータとしてアクセス確率係数、デフォルト値がさらに関連付けられている。これにより、ＭＢＭＳサービスごとに異なるアクセスクラス制御を行うことが可能となる。
【００６３】
再び、図４を参照してシグナリングについて説明する。端末３０は、受信したいＭＢＭＳサービス（ここでは、ＭＢＭＳサービス#1とする）がリストに含まれていた場合に、アイドル状態から基地局１０とコネクションを設立してアクティブ状態となり（Ｓ１４）、ＭＢＭＳサービス#1に対するサービスリクエストを基地局１０に送信する（Ｓ１６）。
【００６４】
基地局１０は、端末３０からのサービスリクエストを受信すると、該当するサービスを受信するための無線ベアラを設定する（Ｓ１８）。端末３０は、基地局１０によって設定された無線ベアラを介してＭＢＭＳサービス#1を受信する（Ｓ２０）。その後、基地局１０は、端末３０に対してＲＲＣコネクション解放メッセージを送信し（Ｓ２２）、端末３０はこのメッセージを受けると再びアイドル状態に戻る（Ｓ２４）。これにより、端末３０は、ＭＢＭＳサービス#1を受信しているのみの状態となる。すなわち、端末３０は、アイドル状態でＭＢＭＳサービスを受ける。なお、受信したいＭＢＭＳサービス（ＭＢＭＳサービス#1）が既に基地局１０から送信されている場合には、Ｓ１４、Ｓ１６，Ｓ１８のステップは省略される。
【００６５】
次に、ＭＢＭＳサービス#1を受信している端末３０が（Ｓ２６）、基地局１０とコネクションを張りアクティブ状態に移行しようとしているか否かを判定する（Ｓ２８）。例えば、端末３０にて電話をかけたりメールを送信したりする操作が行われた場合には、基地局１０への接続によりアクティブ状態に移行しようとしていると判定する。図４に示す例では、基地局１０と接続しようとしている場合（Ｓ２８でＹＥＳ）、端末３０は、アクセスクラス制御を実行する。端末３０は、端末個別に発生させたランダムな値とアクセス確率係数とを比較し、ランダム値がアクセス確率係数を下回るか否かを判定する（Ｓ３０）。ランダムな値がアクセス確率係数を下回っていた場合（Ｓ３０でＹＥＳ）、端末３０はＲＡＣＨプリアンブルを送信する（Ｓ３２）。
【００６６】
ランダム値がアクセス確率係数以上の場合（Ｓ３０でＮＯ）、端末３０は禁止タイマの値を計算し（Ｓ３４）、禁止タイマを開始する（Ｓ３６）。端末３０は、禁止タイマの値がタイムアウトするまで待機する。端末３０は、禁止タイマがタイムアウトすると、再度、ランダム値とアクセス確率係数とを比較するステップＳ３０を行う。
【００６７】
図６は、上記した基地局１０と基地局３０のシグナリングを実現する基地局１０の動作を示す図である。基地局１０は、端末３０に対して報知情報を送信する（Ｓ４０）。また、基地局１０は、アクセス禁止情報を含んだＭＢＭＳ制御情報を作成し（Ｓ４２）、作成したＭＢＭＳ制御情報を端末３０に送信する（Ｓ４４）。
【００６８】
その後、基地局１０は、端末３０からＭＢＭＳサービスに対するサービスリクエストがあるか否かを判定する（Ｓ４６）。端末３０からＭＢＭＳサービスに対するサービスリクエストがあった場合に、その端末３０に対してＭＢＭＳサービス受信用の無線ベアラをセットアップし（Ｓ４８）、ＭＢＭＳデータを送信する（Ｓ５０）。
【００６９】
図７は、上記した基地局１０と基地局３０のシグナリングを実現する端末３０の動作を示す図である。端末３０は、ＭＢＭＳ制御情報を受信すると（Ｓ６０）、アクセス禁止情報が含まれているかどうかを判定する（Ｓ６２）。アクセスクラス禁止情報が含まれていない場合（Ｓ６２でＮＯ）、端末３０は、基地局１０との接続を確立しようとするときに、ＲＡＣＨプリアンブルを送信する（Ｓ６４）。
【００７０】
アクセスクラス禁止情報が含まれている場合（Ｓ６２でＹＥＳ）、端末３０は、ＲＡＣＨプリアンブル送信の前に、アクセスクラス制御を実施する。まず、端末３０は、端末３０が生成したランダムな値と、ＭＢＭＳ情報で通知されているアクセス確率係数とを比較し、ランダム値がアクセス確率係数を下回るか否かを判定する（Ｓ６６）。この結果、ランダムな値がアクセス確率係数より小さい場合は（Ｓ６６でＹＥＳ）、ＲＡＣＨプリアンブルを送信する（Ｓ６８）。
【００７１】
ランダム値がアクセス確率係数以上の場合（Ｓ６６でＮＯ）は、端末３０は、禁止タイマを計算する（Ｓ７０）。禁止タイマの値は、ＭＢＭＳ制御情報の中に含まれるアクセスクラス禁止情報に示される禁止タイマのデフォルト値に、端末個別に発生させたランダムな値を乗じて算出する。端末３０は、算出した禁止タイマを開始し（Ｓ７２）、禁止タイマ実行中はＲＡＣＨプリアンブルの送信を禁止する。禁止タイマがタイムアウトしたら（Ｓ７４）、再び、端末３０は端末個別に発生させたランダム値とアクセス確率係数との比較を行う（Ｓ６６）。以上、第１の実施の形態の基地局１０および端末３０の構成および動作について説明した。
【００７２】
第１の実施の形態の基地局１０は、ＭＢＭＳ制御情報によってアクセスクラス制御を実施するか否かを指示するので、ＭＢＭＳサービスを受信する端末３０だけがＲＡＣＨプリアンブル送信時にアクセスクラス制御を行う。これにより、ＭＢＭＳサービスを受信していない端末３０に影響を与えることなく、ＲＡＣＨプリアンブルの衝突を削減することができる。
【００７３】
また、アクセス禁止情報をＭＢＭＳ制御情報に含めて送信するので、簡単な構成により、ＭＢＭＳサービスを受けている端末にだけ、アクセス禁止情報を通知することができる。
【００７４】
なお、本実施の形態では、アクセス禁止情報がＭＢＭＳサービスごとにアクセス制御を行うかを示す禁止タイマフラグを含む例について説明したが、禁止タイマフラグを含まないＭＢＭＳ制御情報を用いることも可能である。アクセス禁止情報に禁止タイマフラグが含まれていない場合、リストに示されたどのＭＢＭＳサービスを受信する端末３０も、アクセスクラス制御を行うものとする。
【００７５】
（第２の実施の形態）
次に、本発明の第２の実施の形態について説明する。第２の実施の形態の基地局１０の構成は、第１の実施の形態の基地局１０の構成と同じである。
【００７６】
図８は、第２の実施の形態に係る端末３０ａの構成を示す図である。第２の実施の形態の端末３０ａの基本的な構成は、第１の実施の形態の端末３０の構成と同じであるが、第２の実施の形態の端末３０ａは、ＲＡＣＨプリアンブルの送信周波数を変更する周波数変更部４１を備えている。
【００７７】
アクセスクラス制御部３７は、制御部３５からの指示に従って、ランダムな値を発生させ、その値とアクセス確率係数を比較する。比較の結果、ランダムな値がアクセス確率係数を下回った場合、ＲＡＣＨプリアンブル生成部３９に、ＲＡＣＨプリアンブルの生成を指示する。ランダム値がアクセス確率係数以上の場合、周波数変更部４１に周波数の変更を指示する。
【００７８】
周波数変更部４１は、記憶部３６から出力された優先周波数情報があれば、その周波数に移動する。優先周波数情報がなければ、記憶部３６から出力された報知情報に含まれる、端末３０ａが優先的に選択する周波数情報をもとに、周波数再選択を行う。
【００７９】
図９は、第２の実施の形態の端末３０ａと基地局１０のシグナリングを示す図である。図９において、基地局１０は複数の周波数（f_x、f_mbms）を管理しているものとし、アイドル状態において、端末３０ａは周波数f_xにキャンプオンして報知情報とページングを受けているものとする（Ｓ８０）。
【００８０】
端末３０ａは、周波数f_xで報知情報をトランスポートチャネルの下り共有チャネル（ＤＬ−ＳＣＨ）を介して受信する（Ｓ８２）。報知情報では、セル再選択の際に端末３０ａが優先的に選択する周波数情報や、ＭＢＭＳサービスをサポートしている周波数の情報が送信される（Ｓ８４）。このとき、報知情報ではアクセス禁止情報は送られていないものとする。
【００８１】
端末３０ａは、ＭＢＭＳサポート周波数情報を報知情報で受信すると、現在の周波数（f_x）からＭＢＭＳサポート周波数（f_mbms）に、キャンプオン周波数を切り替える（Ｓ８６）。これによって、端末３０ａは周波数f_mbmsから報知情報とページングを受けるようになる（Ｓ８８）。
【００８２】
端末３０ａは、基地局１０から、セル内で利用可能なＭＢＭＳサービスのリストを論理チャネルのＭＣＣＨによって受信する（Ｓ９０）。ＭＣＣＨは、トランスポートチャネルのＤＬ−ＳＣＨもしくはＭＣＨにマッピングされている。ここで、基地局１０がＭＢＭＳ端末３０ａに対するアクセスクラス制御の実施を決定した場合に、セル内で利用可能なＭＢＭＳサービスのリストと同時に、アクセス禁止情報がＭＣＣＨで送られる。アクセス禁止情報の内容は、第１の実施の形態の基地局１０から送信されるアクセス禁止情報と同じである。
【００８３】
端末３０ａは、受信したいＭＢＭＳサービス（ここでは、ＭＢＭＳサービス#1とする）がリストに含まれていた場合に、アイドル状態から基地局１０とコネクションを設立してアクティブ状態となり（Ｓ９２）、ＭＢＭＳサービス#1に対するサービスリクエストを基地局１０に送信する（Ｓ９４）。基地局１０は、端末３０ａからのサービスリクエストを受信すると、該当するサービスを受信するための無線ベアラを設定する（Ｓ９６）。端末３０ａは、基地局１０によって設定された無線ベアラを介してＭＢＭＳサービス#1を受信する（Ｓ９８）。
【００８４】
その後、基地局１０は、端末３０ａに対してＲＲＣコネクション解放メッセージを送信し（Ｓ１００）、端末３０ａはこのメッセージを受けると再びアイドル状態に戻る（Ｓ１０４）。ＲＲＣコネクション解放メッセージには、端末３０ａがアイドル状態になった後に優先的に選択する周波数（ここではf_xとする）が示される。これは、基地局１０に接続する複数の端末３０ａを複数の周波数に分散し、ひとつの周波数に負荷が集中するのを避けるためである。しかし、ここでは端末３０ａは、ＭＢＭＳサービスを受信するために、基地局１０から指示された優先周波数（f_x）には移動せず、ＭＢＭＳサポート周波数（f_mbms）に留まる。端末３０ａは基地局１０から指示された優先周波数（f_x）を記憶部３６に記憶しておく（Ｓ１０２）。なお、受信したいＭＢＭＳサービス（ＭＢＭＳサービス#1）が既に基地局１０から送信されている場合には、Ｓ９２、Ｓ９４、Ｓ９６、Ｓ１００のステップは省略される。
【００８５】
図９に示す例では、ＭＢＭＳサービス#1を受信している端末３０ａが、基地局１０とコネクションを張りアクティブ状態に移行するか否かを判定する（Ｓ１０８）。端末３０ａが基地局１０と接続すると判定された場合には（Ｓ１０８でＹＥＳ）、アクセスクラス制御を実行する。
【００８６】
端末３０ａは、端末個別に発生させたランダムな値とアクセス確率係数とを比較し、ランダム値がアクセス確率係数を下回っているか否か判定する（Ｓ１１０）。ランダム値が、アクセス確率係数を下回っていた場合（Ｓ１１０でＹＥＳ）、端末３０ａはＲＡＣＨプリアンブルを送信する（Ｓ１１２）。
【００８７】
ランダムな値がアクセス確率係数以上の場合（Ｓ１１０でＮＯ）、端末３０ａは、優先周波数（f_x）の情報を記憶部３６から読み出し、読み出した優先周波数（f_x）に移動して（Ｓ１１４）、優先周波数（f_x）においてＲＡＣＨプリアンブルを送信する（Ｓ１１６）。記憶部３６に優先周波数（f_x）の情報が記憶されていない場合は、報知情報で送られる端末３０ａが優先的に選択する周波数情報に基づいて周波数再選択を行う。
【００８８】
図１０は、上記した端末３０ａと基地局１０のシグナリングを実現する端末３０ａの動作を示す図である。端末３０ａは、ＭＢＭＳ制御情報を受信すると（Ｓ１３０）、その中にアクセス禁止情報が含まれているか否かを判定する（Ｓ１３２）。アクセスクラス禁止情報が含まれていない場合は（Ｓ１３２でＮＯ）、ＲＡＣＨプリアンブルを送信する（Ｓ１３４）。
【００８９】
アクセスクラス禁止情報が含まれている場合は（Ｓ１３２でＹＥＳ）、アクセスクラス制御を実施する。アクセスクラス制御では、端末３０ａは、まず、ランダムな値を生成し、生成したランダム値とアクセス確率係数とを比較する（Ｓ１３６）。ランダムな値がアクセス確率係数より小さい場合は（Ｓ１３６でＹＥＳ）、ＲＡＣＨプリアンブルを送信する（Ｓ１３８）。
【００９０】
ランダムな値がアクセス確率係数以上の場合は（Ｓ１３６でＮＯ）、周波数の変更を行う。端末３０ａは、基地局１０からＲＲＣコネクション解放時にＲＲＣメッセージで優先周波数が指示されているか否かを判定する（Ｓ１４０）。優先周波数がある場合、すなわち記憶部３６に優先周波数が記憶されている場合には（Ｓ１４０でＹＥＳ）、その周波数に移動し（Ｓ１４２）、ＲＡＣＨプリアンブルを送信する（Ｓ１４６）。
【００９１】
優先周波数が指示されていない場合、すなわち記憶部３６に優先周波数が記憶されていない場合には（Ｓ１４０でＮＯ）、報知情報に含まれる端末３０ａが優先的に選択する周波数情報をもとに、周波数再選択を行う（Ｓ１４４）。新しく選択した周波数に移動した後、ＲＡＣＨプリアンブルを送信する（Ｓ１４６）。以上、第２の実施の形態の基地局１０および端末３０ａの構成および動作について説明した。
【００９２】
第２の実施の形態の端末３０ａは、アクセスクラス制御において、端末個別に発生させたランダム値がアクセス確率係数値より小さい場合に、基地局１０によって指示された優先周波数に分散させることによって、特定の周波数の混雑を解消し、ＲＡＣＨプリアンブルの衝突を削減することができる。
【００９３】
なお、上記した実施の形態において、端末３０ａが初めからＭＢＭＳサポートセルにいる場合は、ＭＢＭＳサポート周波数情報は報知情報で送らなくてもよい。
【００９４】
（第３の実施の形態）
次に、第３の実施の形態の基地局１０および端末３０ｂについて説明する。第３の実施の形態の基地局１０および端末３０ｂの基本的な構成は、第２の実施の形態の基地局１０および端末３０ａと同じである。第３の実施の形態の端末３０ｂは、ＭＢＭＳサービスとユニキャストサービスの優先度に応じて、ＲＡＣＨプリアンブルのアクセス制御を行う点が、第２の実施の形態の端末３０ａと異なる。
【００９５】
図１１は、第３の実施の形態に端末３０ｂの構成を示す図である。第３の実施の形態の端末３０ｂは、第２の実施の形態の端末３０ａの構成に加え、優先度判定部４２およびタイマ制御部３８を有している。
【００９６】
アクセスクラス制御部３７は、制御部３５からの指示に従って、ランダムな値を発生させ、その値とアクセス確率係数を比較する。比較の結果、ランダムな値がアクセス確率係数以上の場合、優先度判定部４２にて、優先度の判定を指示する。比較の結果、ランダムな値がアクセス確率係数を下回っている場合、ＲＡＣＨプリアンブル生成部３９に、ＲＡＣＨプリアンブルの生成を指示する。
【００９７】
優先度判定部４２は、ユニキャストサービスとＭＢＭＳサービスの優先度を比較し、ユニキャストサービスの優先度が高ければ、周波数変更部４１に周波数の変更を指示する。ＭＢＭＳサービスの優先度が高ければ、タイマ制御部３８にタイマの実行を指示する。
【００９８】
周波数変更部４１は、記憶部３６に優先周波数の情報が記憶されている場合、その周波数に移動する。記憶部３６に優先周波数情報が記憶されていない場合、記憶部３６から報知情報を読み出し、読み出した報知情報に含まれる端末３０ｂが優先的に選択する周波数情報に基づいて周波数再選択を行う。
【００９９】
タイマ制御部３８は、優先度判定部４２の指示に従って、禁止タイマを計算及び実行し、禁止タイマの値が終了するまでは、ＲＡＣＨプリアンブルの送信を禁止する。
【０１００】
図１２は、第３の実施の形態に係る基地局１０と端末３０ｂのシグナリングの動作を示す図である。端末３０ｂがＭＢＭＳサービスを受けるまでの動作は、第２の実施の形態におけるシグナリングの動作と同じである（Ｓ８０〜Ｓ１０６）。
【０１０１】
ＭＢＭＳサービス#1を受信している端末３０ｂが、基地局１０とコネクションを張りアクティブ状態に移行しようとするとき（Ｓ１０８でＹＥＳ）、アクセスクラス制御を実行する。アクセスクラス制御では、まず、端末３０ｂは、端末個別に発生させたランダムな値とアクセス確率係数とを比較し、ランダム値がアクセス確率係数を下回っているか否かを判定する（Ｓ１１０）。アクセス確率係数を下回っていた場合（Ｓ１１０でＹＥＳ）、端末３０ｂはＲＡＣＨプリアンブルを送信する（Ｓ１１２）。
【０１０２】
ランダムな値がアクセス確率係数以上の場合（Ｓ１１０でＮＯ）、ユニキャストサービスとＭＢＭＳサービスの優先度を比較する（Ｓ１１３）。サービスの優先度は、あらかじめユーザによって設定されてもよいし、基地局１０が設定してもよい。サービス優先度の比較の結果、ユニキャストサービスの優先度が高い場合（Ｓ１１３でＹＥＳ）、端末３０ｂは記憶部３６から優先周波数（f_x）の情報を読み出し、読み出した優先周波数（f_x）に移動して（Ｓ１１４）、周波数（f_x）においてＲＡＣＨプリアンブルを送信する（Ｓ１１６）。記憶部３６に優先周波数の情報が記憶されていない場合は、端末３０ｂは、報知情報で送られる端末３０ｂが優先的に選択する周波数情報に基づいてセル再選択を行う。
【０１０３】
ユニキャストサービスよりＭＢＭＳサービスの優先度が高い場合は（Ｓ１１３でＮＯ）、端末３０ｂは禁止タイマの値を計算し（Ｓ１１８）、禁止タイマを開始し（Ｓ１２０）、禁止タイマがタイムアウトするまで待機する。端末３０ｂは、禁止タイマがタイムアウトしたら（Ｓ１２２）、ランダム値とアクセス確率係数とを比較するステップＳ１１０に戻る。
【０１０４】
図１３は、上記した端末３０ｂと基地局１０のシグナリングを実現する端末３０ｂの動作を示す図である。端末３０ｂは、ＭＢＭＳ制御情報を受信すると（Ｓ１３０）、その中にアクセス禁止情報が含まれているか否かを判定する（Ｓ１３２）。アクセスクラス禁止情報が含まれていない場合は（Ｓ１３２でＮＯ）、ＲＡＣＨプリアンブルを送信する（Ｓ１３４）。
【０１０５】
アクセスクラス禁止情報が含まれている場合は（Ｓ１３２でＹＥＳ）、アクセスクラス制御を実施する。アクセスクラス制御では、端末３０ｂは、まず端末個別に発生させたランダムな値を生成し、アクセス確率係数と比較して、ランダム値がアクセス確率係数を下回るか否かを判定する（Ｓ１３６）。ランダムな値がアクセス確率係数より小さい場合は（Ｓ１３６でＹＥＳ）、ＲＡＣＨプリアンブルを送信する（Ｓ１３８）。
【０１０６】
ランダムな値がアクセス確率係数以上の場合は（Ｓ１３６でＮＯ）、ユニキャストサービスとＭＢＭＳサービスの優先度の比較を行う（Ｓ１３９）。ユニキャストサービスの優先度が高い場合には（Ｓ１３９でＹＥＳ）、周波数の変更を行う。基地局１０からＲＲＣコネクション解放時にＲＲＣメッセージで優先周波数が指示されているか否かを判定する（Ｓ１４０）。優先周波数が指示されている場合には（Ｓ１４０でＹＥＳ）、その周波数に移動し（Ｓ１４２）、ＲＡＣＨプリアンブルを送信する（Ｓ１４６）。
【０１０７】
優先周波数が指示されていない場合には（Ｓ１４０でＮＯ）、報知情報に含まれる端末３０ｂが優先的に選択する周波数情報をもとに、周波数再選択を行う（Ｓ１４４）。新しく選択した周波数に移動した後、ＲＡＣＨプリアンブルを送信する（Ｓ１４６）。
【０１０８】
ＭＢＭＳサービスの優先度が高い場合には（Ｓ１３９でＮＯ）、端末３０ｂは、禁止タイマを計算する（Ｓ１４８）。禁止タイマの値は、ＭＢＭＳ制御情報の中に含まれるアクセスクラス禁止情報に示される禁止タイマのデフォルト値に、端末個別に発生させたランダムな値を乗じて算出する。端末３０ｂは、算出した禁止タイマを実行し（Ｓ１５０）、禁止タイマ実行中はＲＡＣＨプリアンブルの送信を禁止する。禁止タイマがタイムアウトしたら（Ｓ１５２）、再び、端末３０ｂは端末個別に発生させたランダム値とアクセス確率係数との比較を行う（Ｓ１３６）。以上、第３の実施の形態の基地局１０および端末３０ｂの構成および動作について説明した。
【０１０９】
第３の実施の形態によれば、端末３０ｂがユニキャストサービスとＭＢＭＳサービスのどちらの優先度が高いかに基づいて、ＲＡＣＨプリアンブル送信を優先するか、ＭＢＭＳサービス受信を優先するかを選択することができる。
【０１１０】
ＲＡＣＨプリアンブルを送信する場合には、基地局１０にて指定された優先周波数で送信するので、ＲＡＣＨプリアンブルの衝突を削減することができる。
【０１１１】
上記した実施の形態において、ＭＢＭＳサービスごとに優先度を設定することとし、設定された優先度とユニキャストサービスとの優先度を比較してもよい。これにより、例えば、ＭＢＭＳサービス「Ａ」ならばユニキャストサービスを優先して切り替えを行い、ＭＢＭＳサービス「Ｂ」ならばユニキャストサービスより優先しＭＢＭＳサービス「Ｂ」を継続するというきめ細かい制御が可能となる。
【０１１２】
上記した実施の形態において、例えば、端末３０ｂがダウンリンクのリソースをどれだけ利用するかに応じて、ＲＡＣＨプリアンブルのアクセス制御を行うこととしてもよい。例えば、図１３のＳ１３９におけるＭＢＭＳサービスとユニキャストサービスの優先度判定の代わりに、端末３０ｂが現在使用しているダウンリンクリソースと基地局１０で設定された規定量との比較判定を行い、規定量を上回っている場合は、禁止タイマを計算し（Ｓ１４８）、規定量を下回っている場合は、周波数の変更を行う、といった動作が考えられる。なお、端末のダウンリンクリソース使用量と、ＭＢＭＳサービスとユニキャストサービスの優先度を組み合わせて使うこととしてもよい。
【０１１３】
上記した実施の形態において、ユニキャストサービスとＭＢＭＳサービスのいずれも実施することとしてもよい。例えば、ユニキャストサービスとＭＢＭＳサービスのいずれも「high  priority」の場合など、ユニキャストとＭＢＭＳサービスの優先度が同じ、または、ユニキャストとＭＢＭＳサービスの優先度の違いが小さい場合には、ユニキャストサービスとＭＢＭＳサービスのいずれも実施することとしてもよい。
【０１１４】
以上に現時点で考えられる本発明の好適な実施の形態を説明したが、本実施の形態に対して多様な変形が可能なことが理解され、そして、本発明の真実の精神と範囲内にあるそのようなすべての変形を添付の請求の範囲が含むことが意図されている。
【産業上の利用可能性】
【０１１５】
本発明は、ＭＢＭＳサービスを受けていない端末によるコネクション確立の容易性を保ちつつＭＢＭＳサービスを提供できるというすぐれた効果を有し、ＭＢＭＳサービスを提供する基地局およびこれを受ける端末等として有用である。
【符号の説明】
【０１１６】
１０  基地局
１１  ＭＢＭＳ関連情報記憶部
１２  ランダムアクセス関連情報記憶部
１３  ＭＢＭＳ制御情報生成部
１４  ＭＢＭＳデータ送信部
１５  報知情報送信部
１６  ユニキャストデータ処理部
１７  ＲＡＣＨ処理部
１８  データ処理部
１９  送信部
２０  受信部
２１  アンテナ
３０  端末
３１  アンテナ
３２  受信部
３３  送信部
３４  データ再生部
３５  制御部
３６  記憶部
３７  アクセスクラス制御部
３８  タイマ制御部
３９  ＲＡＣＨプリアンブル生成部
４０  データ送信部
【手続補正３】
【補正対象書類名】図面
【補正対象項目名】全図
【補正方法】変更
【補正の内容】
【図１】
2010018658.tif 000018
【図２】
2010018658.tif 000019
【図３】
2010018658.tif 000020
【図４】
2010018658.tif 000021
【図５】
2010018658.tif 000022
【図６】
2010018658.tif 000023
【図７】
2010018658.tif 000024
【図８】
2010018658.tif 000025
【図９】
2010018658.tif 000026
【図１０】
2010018658.tif 000027
【図１１】
2010018658.tif 000028
【図１２】
2010018658.tif 000029
【図１３】
2010018658.tif 000030
【図１４】
2010018658.tif 000031
【図１５】
2010018658.tif 000032
【国際調査報告】
2010018658.tif 000033
2010018658.tif 000034